(57)【特許請求の範囲】
【請求項１】
被検眼の光学特性を測定する眼特性測定部と、
前記被検眼に対して前記眼特性測定部を移動させる駆動部と、
前記被検眼の画像を取得する観察光学系と、
前記観察光学系で取得した前記被検眼の画像を表示する表示部と、
前記眼特性測定部と前記駆動部と前記観察光学系と前記表示部とを制御する制御部と、を備え、
前記制御部は、前記観察光学系で取得した前記被検眼の画像において前記被検眼に照射したアライメント指標光の前記被検眼の角膜からの反射による輝点の位置または前記観察光学系で取得した前記被検眼の画像における瞳孔を基準とする位置にアライメント目標の位置を設定し、設定した前記アライメント目標に前記眼特性測定部の主光軸を一致させるように前記眼特性測定部を移動させるオートアライメントモードを有し、前記オートアライメントモードにおいて、前記観察光学系で取得した前記被検眼の画像における前記アライメント目標の位置に目標位置標示記号を重ねて前記表示部に表示させることを特徴とする眼科装置。
【請求項２】
前記制御部は、前記オートアライメントモードにおいて移動目標位置を設定する補助操作が為されると、前記補助操作により設定された前記移動目標位置を目標として前記眼特性測定部を移動させつつ、前記観察光学系で取得した前記被検眼の画像において前記アライメント目標の位置を設定することを特徴とする請求項１に記載の眼科装置。
【請求項３】
前記アライメント目標が、前記被検眼に照射したアライメント指標光の前記被検眼の角膜からの反射による輝点の位置に設定された場合において、
前記制御部は、前記補助操作により前記移動目標位置が設定されると、前記観察光学系で取得した前記被検眼の画像において前記移動目標位置に最も近い輝点を前記アライメント目標として設定することを特徴とする請求項２に記載の眼科装置。
【請求項４】
前記補助操作は、前記表示部の表示面上における任意の位置を指定することにより前記移動目標位置を設定することを特徴とする請求項２または請求項３に記載の眼科装置。
【請求項５】
前記補助操作は、前記表示部の表示面上において前記目標位置標示記号の位置を移動させることにより前記移動目標位置を設定することを特徴とする請求項２から請求項４のいずれか１項に記載の眼科装置。
【請求項６】
前記表示部は、タッチパネルの機能を搭載し、
前記制御部は、前記オートアライメントモードを実行している際に前記表示面上における任意の位置が触られると、前記補助操作が為されることを待つべく前記オートアライメントモードにおける動作を中断することを特徴とする請求項４または請求項５に記載の眼科装置。
【請求項７】
前記制御部は、前記オートアライメントモードによるアライメント動作を実行することにより前記被検眼に対して前記眼特性測定部が適切な位置となったものと判断すると、前記眼特性測定部による前記被検眼の光学特性の測定を実行することを特徴とする請求項１から請求項６のいずれか１項に記載の眼科装置。
【請求項８】
前記制御部は、前記オートアライメントモードによるアライメント動作を実行しても前記被検眼に対して前記眼特性測定部が適切な位置となっていないものと判断すると、アライメントエラーの報知を行うことを特徴とする請求項１から請求項７のいずれか１項に記載の眼科装置。
【請求項９】
前記制御部は、マニュアル操作により前記眼特性測定部を移動させるマニュアルアライメントモードを有し、前記オートアライメントモードにおいて前記マニュアルアライメントモードに切り替える操作が為されると、前記マニュアルアライメントモードに切り替えることを特徴とする請求項１から請求項８のいずれか１項に記載の眼科装置。
【請求項１０】
被検眼を観察し前記被検眼の画像を取得する観察光学部と、
前記被検眼に対して前記観察光学部を移動させる駆動部と、
前記観察光学部で取得した前記被検眼の画像を表示する表示部と、
前記観察光学部と前記駆動部と前記表示部とを制御する制御部と、を備え、
前記制御部は、前記観察光学部で取得した前記被検眼の画像において前記被検眼に照射したアライメント指標光の前記被検眼の角膜からの反射による輝点の位置または前記観察光学部で取得した前記被検眼の画像における瞳孔を基準とする位置にアライメント目標の位置を設定し、設定した前記アライメント目標に前記観察光学部の主光軸を一致させるように前記観察光学部を移動させるオートアライメントモードを有し、前記オートアライメントモードにおいて、前記観察光学部で取得した前記被検眼の画像における前記アライメント目標の位置に目標位置標示記号を重ねて前記表示部に表示させることを特徴とする眼科装置。
【発明の詳細な説明】
【技術分野】
【０００１】
本発明は、被検眼に対して自動アライメントを行う眼科装置に関する。
【背景技術】
【０００２】
眼科装置では、例えば、被検眼に測定光を投影し、その測定光の反射光を受光することで、被検眼の光学特性（眼特性）を測定する眼特性測定部を備えるものがある。その眼科装置では、被検眼に対して適切な位置で測定光を投影する必要があるので、被検眼に対する眼特性測定部の位置を適切なものとするアライメントを行う。このような眼科装置では、アライメント光学系により被検眼の画像上にアライメント目標を形成し、そのアライメント目標の位置を目標として眼特性測定部を移動させることで、自動アライメントを行うものが知られている（例えば、特許文献１参照）。これにより、眼科装置では、眼特性測定部による被検眼の測定を、簡易にかつ適切に行うことができる。
【先行技術文献】
【特許文献】
【０００３】
【特許文献１】特開２０１３−０７８５２４号公報
【発明の概要】
【発明が解決しようとする課題】
【０００４】
しかしながら、上記した眼科装置では、アライメント目標を適切に検出することができず、自動でのアライメントを適切に行えない場合がある。すると、眼科装置では、適切ではないアライメント目標の位置を目標に眼特性測定部を移動させるアライメント動作を行った後に、自動でのアライメントが適切に行えなかった旨の報知等を行うこととなる。この場合、眼科装置を使用する検者は、その報知を受けるまですなわちアライメント動作が終了するまでは測定が実行されるものと考えて待っており、当該アライメント動作が終了することで自動でのアライメントが適切に行えなかったことを把握することとなる。このため、眼科装置では、自動でのアライメントが適切に行えない場合、アライメント動作が終了してからアライメントが適切に行われるための動作を行うこととなり、光学特性（眼特性）の測定に要する時間の増加を招いてしまう。
【０００５】
本発明は、上記の事情に鑑みて為されたもので、アライメント動作が終了する前に自動でのアライメントが適切に行えない状態であることの把握を可能とする眼科装置を提供することを目的とする。
【課題を解決するための手段】
【０００６】
上記した課題を解決するために、請求項１に記載の眼科装置は、被検眼の光学特性を測定する眼特性測定部と、前記被検眼に対して前記眼特性測定部を移動させる駆動部と、
前記被検眼の画像を取得する観察光学系と、前記観察光学系で取得した前記被検眼の画像を表示する表示部と、前記眼特性測定部と前記駆動部と前記観察光学系と前記表示部とを制御する制御部と、を備え、前記制御部は、前記観察光学系で取得した前記被検眼の画像において前記被検眼に照射したアライメント指標光の前記被検眼の角膜からの反射による輝点の位置または前記観察光学系で取得した前記被検眼の画像における瞳孔を基準とする位置にアライメント目標の位置を設定し、設定した前記アライメント目標に前記眼特性測定部の主光軸を一致させるように前記眼特性測定部を移動させるオートアライメントモードを有し、前記オートアライメントモードにおいて、前記観察光学系で取得した前記被検眼の画像における前記アライメント目標の位置に目標位置標示記号を重ねて前記表示部に表示させることを特徴とする。
【０００９】
請求項２の眼科装置は、請求項１に記載の眼科装置であって、前記制御部は、前記オートアライメントモードにおいて移動目標位置を設定する補助操作が為されると、前記補助操作により設定された前記移動目標位置を目標として前記眼特性測定部を移動させつつ、前記観察光学系で取得した前記被検眼の画像において前記アライメント目標の位置を設定することを特徴とする。
【００１０】
請求項３の眼科装置は、請求項２に記載の眼科装置であって、前記アライメント目標が、前記被検眼に照射したアライメント指標光の前記被検眼の角膜からの反射による輝点の位置に設定された場合において、前記制御部は、前記補助操作により前記移動目標位置が設定されると、前記観察光学系で取得した前記被検眼の画像において前記移動目標位置に最も近い輝点を前記アライメント目標として設定することを特徴とする。
【００１１】
請求項４の眼科装置は、請求項２または請求項３に記載の眼科装置であって、前記補助操作は、前記表示部の表示面上における任意の位置を指定することにより前記移動目標位置を設定することを特徴とする。
【００１２】
請求項５の眼科装置は、請求項２から請求項４のいずれか１項に記載の眼科装置であって、前記補助操作は、前記表示部の表示面上において前記目標位置標示記号の位置を移動させることにより前記移動目標位置を設定することを特徴とする。
【００１３】
請求項６の眼科装置は、請求項４または請求項５に記載の眼科装置であって、前記表示部は、タッチパネルの機能を搭載し、前記制御部は、前記オートアライメントモードを実行している際に前記表示面上における任意の位置が触られると、前記補助操作が為されることを待つべく前記オートアライメントモードにおける動作を中断することを特徴とする。
【００１４】
請求項７の眼科装置は、請求項１から請求項６のいずれか１項に記載の眼科装置であって、前記制御部は、前記オートアライメントモードによるアライメント動作を実行することにより前記被検眼に対して前記眼特性測定部が適切な位置となったものと判断すると、前記眼特性測定部による前記被検眼の光学特性の測定を実行することを特徴とする。
【００１５】
請求項８の眼科装置は、請求項１から請求項７のいずれか１項に記載の眼科装置であって、前記制御部は、前記オートアライメントモードによるアライメント動作を実行しても前記被検眼に対して前記眼特性測定部が適切な位置となっていないものと判断すると、アライメントエラーの報知を行うことを特徴とする。
【００１６】
請求項９の眼科装置は、請求項１から請求項８のいずれか１項に記載の眼科装置であって、前記制御部は、マニュアル操作により前記眼特性測定部を移動させるマニュアルアライメントモードを有し、前記オートアライメントモードにおいて前記マニュアルアライメントモードに切り替える操作が為されると、前記マニュアルアライメントモードに切り替えることを特徴とする。
【００１７】
請求項１０の眼科装置は、被検眼を観察し前記被検眼の画像を取得する観察光学部と、前記被検眼に対して前記観察光学部を移動させる駆動部と、前記観察光学部で取得した前記被検眼の画像を表示する表示部と、前記観察光学部と前記駆動部と前記表示部とを制御する制御部と、を備え、前記制御部は、前記観察光学部で取得した前記被検眼の画像において前記被検眼に照射したアライメント指標光の前記被検眼の角膜からの反射による輝点の位置または前記観察光学部で取得した前記被検眼の画像における瞳孔を基準とする位置に前記アライメント目標の位置を設定し、設定した前記アライメント目標に前記観察光学部の主光軸を一致させるように前記観察光学部を移動させるオートアライメントモードを有し、前記オートアライメントモードにおいて、前記観察光学部で取得した前記被検眼の画像における前記アライメント目標の位置に目標位置標示記号を重ねて前記表示部に表示させることを特徴とする。
【発明の効果】
【００１８】
本発明の眼科装置によれば、アライメント動作が終了する前に自動でのアライメントが適切に行えない状態であることの把握を可能とすることができる。
【００１９】
上記した構成に加えて、前記アライメント目標は、前記被検眼に照射したアライメント指標光の前記被検眼の角膜からの反射による輝点の位置に設定することとすると、自動アライメントを適切に行うことが出来るか否かの把握を可能とすることができるとともに、自動アライメントを適切に行うことが出来ない場合にはその原因の把握を容易なものとすることができる。
【００２０】
上記した構成に加えて、前記アライメント目標は、前記観察光学系で取得した前記被検眼の画像における瞳孔を基準とする位置に設定することとすると、自動アライメントを適切に行うことが出来るか否かの把握を可能とすることができるとともに、自動アライメントを適切に行うことが出来ない場合にはその原因の把握を容易なものとすることができる。
【００２１】
上記した構成に加えて、前記制御部は、前記オートアライメントモードにおいて移動目標位置を設定する補助操作が為されると、前記補助操作により設定された前記移動目標位置を目標として前記眼特性測定部を移動させつつ、前記観察光学系で取得した前記被検眼の画像において前記アライメント目標の位置を設定することとすると、表示部に表示された被検眼の画像上における目標位置標示記号の表示の態様に応じて、アライメント目標を適切に検出することが可能となる位置へと、被検眼に対する眼特性測定部の移動を促すことができ、自動アライメントを適切に行わせること、すなわち被検眼（その画像）にアライメント目標を適切に形成しかつそのアライメント目標と適切に検出させることの確率を向上させることができる。
【００２２】
上記した構成に加えて、前記アライメント目標は、前記被検眼に照射したアライメント指標光の前記被検眼の角膜からの反射による輝点の位置に設定し、前記制御部は、前記補助操作により前記移動目標位置が設定されると、前記観察光学系で取得した前記被検眼の画像において前記移動目標位置に最も近い輝点を前記アライメント目標として設定することとすると、正しい輝点像と他の輝点とをアライメント目標として設定した場合であっても、補助操作により正しい輝点像（その近傍）に移動目標位置が設定されると、誤って検出した他の輝点をアライメント目標とすることが防止されて、正しい輝点像のみをアライメント目標として設定することができる。
【００２３】
上記した構成に加えて、前記補助操作は、前記表示部の表示面上における任意の位置を指定することにより前記移動目標位置を設定することとすると、検者による眼特性測定部を移動させる移動目標位置の設定を、容易でかつ自由度の高いものとすることができ、実際の被検眼（その画像）における状況に応じて検者が容易にかつ適切に移動目標位置を設定することができ、自動アライメントを適切に行わせることの確率を向上させることができる。
【００２４】
上記した構成に加えて、前記補助操作は、前記表示部の表示面上において前記目標位置標示記号の位置を移動させることにより前記移動目標位置を設定することとすると、検者による眼特性測定部を移動させる移動目標位置の設定を、容易でかつ自由度の高いものとすることができ、実際の被検眼（その画像）における状況に応じて検者が容易にかつ適切に移動目標位置を設定することができ、自動アライメントを適切に行わせることの確率を向上させることができる。
【００２５】
上記した構成に加えて、前記表示部は、タッチパネルの機能を搭載し、前記制御部は、前記オートアライメントモードを実行している際に前記表示面上における任意の位置が触られると、前記補助操作が為されることを待つべく前記オートアライメントモードにおける動作を中断することとすると、実行されているオートアライメントモードにおける動作に拘わらず、適切にかつ違和感を覚えることなく補助操作を行うことを可能とすることができる。
【００２６】
上記した構成に加えて、前記制御部は、前記オートアライメントモードによるアライメント動作を実行することにより前記被検眼に対して前記眼特性測定部が適切な位置となったものと判断すると、前記眼特性測定部による前記被検眼の光学特性の測定を実行することとすると、速やかに被検眼の光学特性（眼特性）を測定することができ、使い勝手を向上させることができる。
【００２７】
上記した構成に加えて、前記制御部は、前記オートアライメントモードによるアライメント動作を実行しても前記被検眼に対して前記眼特性測定部が適切な位置となっていないものと判断すると、アライメントエラーの報知を行うこととすると、表示部への目標位置標示記号の表示（表示されない場合も含む）による検者の判断のみに委ねるのではなく、自動アライメントが適切に行えなかった場合には、そのことを検者に確実に把握させることができ、使い勝手を向上させることができる。
【００２８】
上記した構成に加えて、前記制御部は、マニュアル操作により前記眼特性測定部を移動させるマニュアルアライメントモードを有し、前記オートアライメントモードにおいて前記マニュアルアライメントモードに切り替える操作が為されると、前記マニュアルアライメントモードに切り替えることとすると、状況に応じて速やかに被検眼の光学特性（眼特性）を測定することができ、使い勝手を向上させることができる。
【００２９】
被検眼を観察し前記被検眼の画像を取得する観察光学部と、前記被検眼に対して前記観察光学部を移動させる駆動部と、前記観察光学部で取得した前記被検眼の画像を表示する表示部と、前記観察光学部と前記駆動部と前記表示部とを制御する制御部と、を備え、前記制御部は、前記観察光学部で取得した前記被検眼の画像において前記アライメント目標の位置を設定し、設定した前記アライメント目標の位置を目標として前記観察光学部を移動させるオートアライメントモードを有し、前記オートアライメントモードにおいて、前記観察光学部で取得した前記被検眼の画像における前記アライメント目標の位置に目標位置標示記号を重ねて前記表示部に表示させる眼科装置によれば、アライメント動作が終了する前に自動でのアライメントが適切に行えない状態であることの把握を可能とすることができる。
【図面の簡単な説明】
【００３０】
【図１】本発明に係る実施例の眼科装置１０の構成を模式的に示す説明図である。
【図２】眼科装置１０の制御系の構成を示したブロック図である。
【図３】眼科装置１０の光学的な構成を説明するための説明図である。
【図４】ケラトリングパターン３８の構成を説明するための説明図である。
【図５】眼特性測定部３０による測定を行う場面において表示部１４の表示面１４ａに表示される表示内容を説明するための説明図であり、前眼部像Ｅ´におけるアライメント目標としての輝点像Ｓに目標位置標示記号４１を重ねて表示した様子を示している。
【図６】図５と同様の説明図であり、前眼部像Ｅ´に重ねて合焦判断記号４２を表示した様子を示している。
【図７】制御部２１にて実行されるアライメント測定制御処理（アライメント測定制御方法）を示すフローチャートである。
【図８】制御部２１にて実行される補助操作判断制御処理（補助操作判断制御方法）を示すフローチャートである。
【図９】制御部２１にて実行される手動測定制御処理（手動測定制御方法）を示すフローチャートである。
【図１０】図５と同様の説明図であり、輝点像Ｓを適切に検出できた場合を示している。
【図１１】図５と同様の説明図であり、光沢物４３を輝点像として検出してしまった場合を示している。
【図１２】図５と同様の説明図であり、図１１の状態から輝点像Ｓに合わせた位置へと目標位置標示記号４１を移動させた様子を示している。
【図１３】図５と同様の説明図であり、図１１の状態から前眼部像Ｅ´における角膜中心（その近傍）を指定位置４４として指定した様子を示している。
【図１４】図５と同様の説明図であり、輝点像Ｓが形成されなかった場合であって前眼部像Ｅ´における角膜中心（その近傍）を指定位置４５として指定した様子を示している。
【発明を実施するための形態】
【００３１】
以下に、本願発明に係る眼科装置の発明の実施の形態について図面を参照しつつ説明する。
【実施例】
【００３２】
本発明に係る眼科装置の一実施例としての眼科装置１０を、図１から図１４を用いて説明する。図１に示す眼科装置１０は、被検眼Ｅの光学特性（眼特性）を測定する眼特性測定部３０（図３参照）を備える眼科装置である。その眼科装置１０（その眼特性測定部３０）は、被検眼Ｅの光学特性（眼特性）として、他覚測定により眼屈折力と角膜形状とを測定すること（他覚測定機能）と、自覚測定により被検眼Ｅの眼屈折力を含む光学特性（眼特性）を測定すること（自覚測定機能）と、が可能とされている。その被検眼Ｅについては、図３において、眼底（網膜）Ｅｆおよび角膜（前眼部）Ｅｃを模式的に示している。
【００３３】
この眼科装置１０は、図１に示すように、ベース１１に駆動部１２（図２参照）を介して装置本体部１３が移動可能に設けられて構成されている。その装置本体部１３には、内方に後述する眼特性測定部３０（その光学系（図３参照））が設けられ、外方に表示部１４、顎受部１５および額当部１６が設けられている。
【００３４】
その表示部１４は、液晶ディスプレイで形成されており、後述する制御部２１（図２参照）の制御下で、被検眼Ｅの前眼部（角膜Ｅｃ）の画像（前眼部像Ｅ´）や各種の操作画面や測定結果等を表示面１４ａに表示させる（図５等参照）。表示部１４は、本実施例では、タッチパネルの機能を搭載しており、光学特性（眼特性）を測定するための操作や、前眼部（角膜Ｅｃ）を撮影するための操作や、装置本体部１３を移動するための操作や、自覚測定と他覚測定との切り替えの操作や、他覚測定のための視標を切り替える操作や、後述する補助操作等を行うことが可能とされている。また、表示部１４は、タッチパネルの機能を利用して、上述した各操作のためのアイコンとしての各種の記号（図５等参照）を表示し、当該各記号に触れることによる操作を可能としている。
【００３５】
なお、測定を行うための操作は、ベース１１や装置本体部１３や表示部１４の周縁部に測定スイッチを設けて、当該測定スイッチの操作により行うものであってもよい。また、装置本体部１３を移動するための操作は、ベース１１や装置本体部１３や表示部１４の周縁部にコントロールレバーや移動操作スイッチを設けて、当該コントロールレバーや当該移動操作スイッチの操作により行うものであってもよい。
【００３６】
顎受部１５および額当部１６は、測定時に装置本体部１３に対して被検者（患者）の顔すなわち被検眼Ｅの位置を固定するものであり、ベース１１に固定されて設けられている。その顎受部１５は、被検者が顎を載せる箇所となり、額当部１６は、当該被検者が額を宛がう箇所となる。装置本体部１３では、顎受部１５と額当部１６とにより被検者の顔を固定すると、当該被検者の被検眼Ｅが後述するケラトリングパターン３８およびその中心に位置する対物レンズ３１ｑ（図３および図４参照）に対向される。このため、眼科装置１０（その眼特性測定部３０）の光学系による被検眼Ｅの適切な測定（他覚測定および自覚測定）が可能となる。
【００３７】
この眼科装置１０では、表示部１４と、顎受部１５および額当部１６と、が、装置本体部１３を挟んで両側に設けられており、通常の使用時（図１参照）において、表示部１４（その表示面１４ａ）が検者の側となり、顎受部１５および額当部１６が被検者の側となる。その表示部１４は、図示は略すが、装置本体部１３に回転自在に支持されており、表示面１４ａの向きを変更すること、例えば、表示面１４ａを被検者側に向けることや、表示面１４ａを側方（Ｘ軸方向）に向けることが可能とされている。その装置本体部１３（その眼特性測定部３０）は、駆動部１２（図２参照）により、ベース１１に対して移動すること、すなわち顎受部１５と額当部１６とにより固定された被検眼Ｅ（被検者の顔）に対して移動することが可能とされている。
【００３８】
その駆動部１２は、装置本体部１３をベース１１に対して、上下方向（Ｙ軸方向）と、前後方向（Ｚ軸方向（通常の使用時に表示部１４と、顎受部１５および額当部１６と、が並ぶ方向であって、眼特性測定部３０の主光軸Ｏ１と平行な方向））と、それらに直交する左右方向（Ｘ軸方向）と、に移動させる。なお、この実施例では、上下方向の上側をＹ軸方向の正側とし、前後方向の被検者側（図１を正面視して左奥側）をＺ軸方向の正側とし、左右方向において図１を正面視して左手前側をＸ軸方向の正側とする（図１の矢印参照）。本実施例では、駆動部１２は、図２に示すように、Ｘモータ１２ａとＹモータ１２ｂとＺモータ１２ｃとを有し、それぞれを駆動させるためのＸドライバ１２ｄとＹドライバ１２ｅとＺドライバ１２ｆとを有する。
【００３９】
Ｘモータ１２ａは、ベース１１に対して装置本体部１３（眼特性測定部３０）をＸ軸方向（左右方向）へと移動（変位）させる。換言すると、Ｘモータ１２ａは、駆動部１２において、装置本体部１３（眼特性測定部３０）をＸ軸方向（左右方向）への移動させるための構成となる。このＸモータ１２ａは、制御部２１によりＸドライバ１２ｄが制御されることで適宜駆動される。
【００４０】
Ｙモータ１２ｂは、ベース１１に対して装置本体部１３（眼特性測定部３０）をＹ軸方向（上下方向）へと移動（変位）させる。換言すると、Ｙモータ１２ｂは、駆動部１２において、装置本体部１３（眼特性測定部３０）をＹ軸方向（上下方向）への移動させるための箇所となる。このＹモータ１２ｂは、制御部２１によりＹドライバ１２ｅが制御されることで適宜駆動される。
【００４１】
Ｚモータ１２ｃは、ベース１１に対して装置本体部１３（眼特性測定部３０）をＺ軸方向（前後方向）へと移動（変位）させる。換言すると、Ｚモータ１２ｃは、駆動部１２において、装置本体部１３（眼特性測定部３０）をＺ軸方向（前後方向）への移動させるための箇所となる。このＺモータ１２ｃは、制御部２１によりＺドライバ１２ｆが制御されることで適宜駆動される。
【００４２】
このため、駆動部１２は、Ｘモータ１２ａとＹモータ１２ｂとＺモータ１２ｃとを適宜駆動することにより、ベース１１に対して装置本体部１３（眼特性測定部３０）を上下方向（Ｙ軸方向）、前後方向（Ｚ軸方向）、および左右方向（Ｘ軸方向）に適宜移動させる。換言すると、制御部２１は、駆動部１２を適宜駆動制御する、すなわちＸドライバ１２ｄとＹドライバ１２ｅとＺドライバ１２ｆとを介してＸモータ１２ａとＹモータ１２ｂとＺモータ１２ｃとを適宜駆動することにより、ベース１１に固定された顎受部１５および額当部１６に対して装置本体部１３（眼特性測定部３０）を適宜移動させることができる。
【００４３】
その制御部２１は、眼科装置１０における電気制御系を構成するものであり、内蔵する記憶部２１ａに格納されたプログラムにより眼科装置１０の各部を統括的に制御する。制御部２１は、後述するように、合焦判断回路２２からの検出結果（その信号）やアライメント判定回路２３からの検出結果（その信号）に基づいて、駆動部１２を適宜駆動制御してベース１１に対する装置本体部１３の位置を調整する。また、制御部２１は、後述する視標光源３１ａ、グレア用光源３１ｗ、前眼部照明光源３２ａ、レフ測定用光源３３ａ、ＸＹ方向検出用光源３５ａ、ケラトリング状指標投影光源３７、Ｚ方向検出用光源３９ａに、それぞれに対応する点灯制御を行うためのドライバ（駆動機構）を介して接続されており、これらの各光源の発光を適宜制御する。
【００４４】
加えて、制御部２１は、後述する前眼部観察光学系３２の撮像素子３２ｇ（図３参照）が取得した画像に基づいて、表示部１４（その表示面１４ａ）にその画像を表示させる。また、制御部２１は、後述する目標位置標示記号４１（図５等参照）や合焦判断記号４２（図６参照）を表示部１４（その表示面１４ａ）に表示させる。さらに、制御部２１は、後述するように、表示部１４におけるタッチパネルの機能を利用して触れることによる選択（切替）操作を可能するアイコンとしての各種記号を表示させる（図５等参照）。
【００４５】
ついで、制御部２１は、後述する指標切替部３１ｄ（図３参照）の切替駆動部３１ｓに接続されており、当該指標切替部３１ｄのターレット部３１ｒ（図３参照）に保持された視標を切り替えるべく切替駆動部３１ｓを駆動制御する。加えて、制御部２１は、後述する合焦レンズ３１ｈ（図３参照）を適宜移動させるべく視標合焦機構３１Ｄを駆動制御し、指標ユニット３３Ｕ（図３参照）を適宜移動させるべく指標移動機構３３Ｄを駆動制御し、合焦レンズ３４ｅ（図３参照）を適宜移動させるべく指標合焦機構３４Ｄを駆動制御する。また、制御部２１は、後述するＶＣＣレンズ３１ｋ（図３参照）における１対のシリンダーレンズの相対的な姿勢および一体的な姿勢を調整すべくその駆動部（図示せず）を駆動制御する。さらに、制御部２１は、後述するシャッター３２ｃ（図３参照）を開いた状態と閉じた状態とで切り替えるべく当該シャッター３２ｃを駆動制御する。
【００４６】
次に、眼科装置１０の制御系の構成を説明する。眼科装置１０は、図２に示すように、上述した制御部２１に加えて、合焦判断回路２２とアライメント判定回路２３とを有する。その制御部２１には、撮像素子３２ｇが接続されており、その撮像素子３２ｇの受光に基づく信号、すなわち被検眼Ｅの前眼部の画像（前眼部像Ｅ´（図５等参照））や、後述する眼屈折力測定（レフ測定）用リング状指標像（その画像）としての信号等が伝送される。その被検眼Ｅには、後述するケラトリング状指標像や、ＸＹアライメント指標光による輝点像Ｓ（図５等参照）や、Ｚ方向検出輝点像が形成されることから、前眼部の画像（前眼部像Ｅ´）とともにそれらの像としての信号が制御部２１に伝送される。そして、制御部２１は、表示部１４に接続されており、撮像素子３２ｇからの受光信号に基づいて適宜画像信号を生成し、撮像素子３２ｇからの受光信号に基づく画像を表示部１４（その表示面１４ａ）に適宜表示させる（図５等参照）。制御部２１は、シャッター３２ｃに接続されており、上述したように当該シャッター３２ｃを駆動制御する。制御部２１は、駆動部１２（そのＸドライバ１２ｄ、Ｙドライバ１２ｅおよびＺドライバ１２ｆ）に接続されており、上述したように駆動部１２を適宜駆動制御することによりベース１１に対して装置本体部１３を適宜移動させる。制御部２１は、表示部１４への操作に基づいて、あるいは記憶部２１ａに格納されたプログラムに従って、上述した各動作を適宜実行する。すなわち、表示部１４への操作に基づくベース１１に対する装置本体部１３の移動が、マニュアル操作による装置本体部１３の移動となる。
【００４７】
合焦判断回路２２は、撮像素子３２ｇからの検出信号に基づいて、後述する眼特性測定部３０（眼科装置１０）の光学的な構成（それを収容する装置本体部１３）が被検眼Ｅ（その眼底Ｅｆ（図３参照）あるいは前眼部（角膜Ｅｃ））に合焦しているか否か、すなわち前後方向（Ｚ軸方向）のズレ量が許容範囲内であるか否かを検出する。この合焦判断回路２２では、その合焦（ズレ量）の判断に、被検眼Ｅの前眼部（前眼部像Ｅ´）において、後述するケラトリング状指標投影光源３７により形成されるケラトリング状指標像（その画像）と、後述するＺ方向検出平行投影系３９により形成されるＺ方向検出輝点標（その画像）と、の撮像素子３２ｇで取得した信号を用いる。そして、合焦判断回路２２は、その検出結果（その信号）を制御部２１に出力する。すると、制御部２１は、合焦判断回路２２からの検出結果（その信号）に基づいて装置本体部１３をベース１１に対してＺ軸方向（前後方向）に移動させ、当該合焦判断回路２２から合焦完了（ズレ量が許容範囲内である旨）を示す信号を受けるまでその移動を行うことにより、Ｚアライメントを自動で行うことができる。このため、この合焦判断回路２２からの検出結果（その信号）に基づいて装置本体部１３をベース１１に対してＺ軸方向（前後方向）に移動させることが、Ｚ軸方向（前後方向）でのアライメント動作となる。
【００４８】
また、制御部２１は、合焦判断回路２２からの検出結果（その信号）に基づいて、図６に示すように、合焦判断記号４２を生成して表示部１４（その表示面１４ａ）に表示させる。その合焦判断記号４２は、合焦完了位置（ズレ量が許容範囲内である位置）であることを示すとともに、その合焦完了位置に対して前側（Ｚ軸方向正側）にズレているのか後側（Ｚ軸方向負側）にズレているのかと、そのズレ量とを示すことが可能とされている。合焦判断記号４２は、本実施例では、合焦標示部４２ａと複数のズレ量標示部４２ｂとを有する。合焦判断記号４２は、合焦完了位置である場合には、合焦標示部４２ａのみを表示させることで、合焦完了位置であることを示す。また、合焦判断記号４２は、合焦完了位置ではない場合には、合焦標示部４２ａの両側にズレ量標示部４２ｂを表示させ、前後方向（Ｚ軸方向）のズレ量が大きくなるにつれて当該ズレ量標示部４２ｂの本数を増やす（図示の例ではそれぞれ仮想線で２本ずつ表示している）ものとされている。また、合焦判断記号４２は、合焦完了位置に対して前側（Ｚ軸方向正側）にズレている（近付いている）場合と、合焦完了位置に対して後側（Ｚ軸方向負側）にズレている（離れている）場合と、で色を変えることにより、ズレの方向を示すものとされている。そして、合焦判断記号４２は、合焦判断回路２２で前後方向（Ｚ軸方向）でのズレ量を判断することができない場合、すなわち撮像素子３２ｇで取得した信号に基づく被検眼Ｅの前眼部（前眼部像Ｅ´）における後述するケラトリング状指標像（その画像）と後述するＺ方向検出輝点標（その画像）とを用いて判断することができない場合、表示部１４（その表示面１４ａ）に表示されない。換言すると、合焦判断記号４２は、合焦判断回路２２による前後方向（Ｚ軸方向）でのズレ量の判断が可能な範囲（検出可能範囲）となると、表示部１４（その表示面１４ａ）に表示される。
【００４９】
なお、この合焦判断記号４２は、合焦完了位置であるか否かの把握を可能とするものであれば、その表示の態様は異なるものであってもよく、本実施例の構成に限定されるものではない。その場合であっても、合焦判断記号（４２）は、上述したように合焦完了位置に対して前側（Ｚ軸方向正側）にズレているのか合焦完了位置に対して後側（Ｚ軸方向負側）にズレているのかの把握を可能とするものが好ましく、それぞれの方向でのズレ量の把握を可能とするものであることがさらに好ましい。
【００５０】
アライメント判定回路２３は、撮像素子３２ｇからの検出信号に基づいて、後述する眼特性測定部３０（眼科装置１０）の光学的（図３参照）な構成（装置本体部１３）の主光軸Ｏ１と被検眼Ｅの光軸とのＸ−Ｙ平面に沿う方向（以下では、ＸＹ方向ともいう）のズレ量が許容範囲内であるか否かを検出するものである。そのズレ量は、例えば、左右方向（Ｘ軸方向）でのズレ量およびその方向と、上下方向（Ｙ軸方向）でのズレ量およびその方向と、で表すことができる。このアライメント判定回路２３では、そのズレ量の判断に、被検眼Ｅの前眼部（前眼部像Ｅ´）において、後述するようにＸＹアライメント光投影光学系３５により形成されるＸＹアライメント指標像（輝点像Ｓ）（その画像）の、撮像素子３２ｇで取得した信号を用いる。そして、アライメント判定回路２３は、その検出結果（その信号）を制御部２１に出力する。すると、制御部２１は、アライメント判定回路２３からの検出結果（その信号）に基づいて装置本体部１３をベース１１に対してＸ軸方向（左右方向）およびＹ軸方向（上下方向）に移動させ、当該アライメント判定回路２３からズレ量が許容範囲内である旨を示す信号を受けるまでその移動を行うことにより、ＸＹアライメントを自動で行うことができる。このため、このアライメント判定回路２３からの検出結果（その信号）に基づいて装置本体部１３をベース１１に対してＸＹ方向（左右方向および上下方向）に移動させることが、ＸＹ方向（左右方向および上下方向）すなわち後述する眼特性測定部３０の主光軸Ｏ１に直交する方向における自動でのアライメント動作となる。
【００５１】
その装置本体部１３には、上述したように、外形形状を形作る筐体１３ａの内方に眼科装置１０における光学的な構成、すなわち眼特性測定部３０としての光学系が設けられている。この眼特性測定部３０（眼科装置１０）は、被検眼Ｅの光学特性（眼特性）を測定することが可能とされており、本実施例では、被検眼Ｅの眼屈折力（球面度数、乱視度数、乱視軸角度等）と、被検眼Ｅの角膜Ｅｃの形状と、を測定することが可能とされている。
【００５２】
次に、図３を用いて、その眼特性測定部３０（眼科装置１０）の光学的な構成を説明する。眼特性測定部３０は、図３に示すように、視標投影光学系３１と前眼部観察光学系３２とレフ測定投影光学系３３とレフ測定受光光学系３４とＸＹアライメント光投影光学系３５とケラトリング状指標投影光学系３６とを備える。
【００５３】
その視標投影光学系３１は、被検眼Ｅを固視・雲霧させるために、その被検眼Ｅの眼底Ｅｆに固視のための視標（固視標）を投影する。また、視標投影光学系３１は、自覚測定を行うために、被検者に見え方を問うべく被検眼Ｅの眼底Ｅｆに被検者に注視させるための視標（自覚視標）を投影する。前眼部観察光学系３２は、被検眼Ｅの前眼部（角膜Ｅｃ）を観察する。レフ測定投影光学系３３は、被検眼Ｅの眼屈折力を測定するために、眼屈折力測定（レフ測定）用リング状指標としてのパターン光束（測定光）を、その被検眼Ｅの眼底Ｅｆに投影する。レフ測定受光光学系３４は、被検眼Ｅの眼底Ｅｆから反射された眼屈折力測定（レフ測定）用リング状指標を撮像素子３２ｇに受光させる。このレフ測定投影光学系３３およびレフ測定受光光学系３４は、前眼部観察光学系３２とともに、眼屈折力測定光学系を構成する。ＸＹアライメント光投影光学系３５は、ＸＹ方向でのアライメント状態を検出するために、指標光を被検眼Ｅに向けて投影する。ケラトリング状指標投影光学系３６は、被検眼Ｅの角膜Ｅｃの形状（角膜形状）を測定するために、ケラトリング状指標としての光束（測定光）を投影その被検眼Ｅの角膜Ｅｃに投影する。このケラトリング状指標投影光学系３６は、前眼部観察光学系３２とともに、角膜形状測定光学系を構成する。
【００５４】
視標投影光学系３１は、光軸Ｏ２上に、視標光源３１ａと色補正フィルタ３１ｂとコリメータレンズ３１ｃと指標切替部３１ｄとハーフミラー３１ｅとリレーレンズ３１ｆとミラー３１ｇと合焦レンズ３１ｈとリレーレンズ３１ｉとフィールドレンズ３１ｊとバリアブルクロスシリンダレンズ３１ｋ（以下では、ＶＣＣレンズ３１ｋともいう）とミラー３１ｍとダイクロイックフィルター３１ｎとダイクロイックフィルター３１ｐと対物レンズ３１ｑとを有する。
【００５５】
その指標切替部３１ｄは、視標投影光学系３１により被検眼Ｅの眼底Ｅｆに投影（被検眼Ｅに呈示）する視標を切り替えるものであり、本実施例では、ターレット部３１ｒと切替駆動部３１ｓとで構成されている。そのターレット部３１ｒは、回転軸３１ｔを回転中心として回転可能に設けられており、その回転方向で見て複数の視標を支持するものとされている。そして、ターレット部３１ｒは、回転軸３１ｔを中心として回転することにより、支持する複数の視標のうちのいずれか１つを光軸Ｏ２上に位置させることが可能とされている。切替駆動部３１ｓは、制御部２１（図２参照）の制御下で駆動されることにより、回転軸３１ｔを介してターレット部３１ｒを回転させ、ターレット部３１ｒの回転姿勢を変化させる。このため、指標切替部３１ｄでは、制御部２１の制御下で、ターレット部３１ｒで支持する複数の視標のうちのいずれか１つを光軸Ｏ２上に位置させる。その各視標は、本実施例では、視標光源３１ａから出射されて色補正フィルタ３１ｂにより補正された光（光束）を透過させることにより、後述する視標投影光学系３１による被検眼Ｅの眼底Ｅｆへの呈示を可能としている。
【００５６】
ターレット部３１ｒは、本実施例では、固視のための視標（固視標）としての風景チャート３１ｕと、自覚測定のために被検者に注視させるための視標（自覚視標）としてのＶＡ（Ｖｉｓｕａｌ  Ａｃｕｉｔｙ）チャート３１ｖと、を支持している。その風景チャート３１ｕは、固視のために被検者に注視させるための視標（固視標）であり、注視し易い箇所を含む風景を示すものとされている。また、ＶＡチャート３１ｖは、被検者に見え方を問うこと（自覚測定）により視力検査を行うための自覚視標であり、視力毎に規定の大きさ寸法とされたアルファベットや平仮名等の文字やランドルト環等が表記されている。また、ターレット部３１ｒは、図示は略すが、この他にも適宜自覚視標を支持するものとすることができる。なお、本実施例では、固視標として風景を示す風景チャート３１ｕを用いていたが、固視のために被検者に注視させるための視標であればよく、本実施例の構成に限定されるものではない。
【００５７】
視標光源３１ａは、図３に示すように、ターレット部３１ｒにより支持されて光軸Ｏ２上に位置された視標を被検眼Ｅに投影するための光源であり、本実施例では、白色のＬＥＤが用いられている。合焦レンズ３１ｈは、被検眼Ｅを固視・雲霧させるべく、視標合焦機構３１Ｄにより視標投影光学系３１の光軸Ｏ２に沿って移動可能とされている。その視標合焦機構３１Ｄは、制御部２１（図２参照）の制御下で駆動されることにより、合焦レンズ３１ｈを光軸Ｏ２上の任意の位置に移動させる。ＶＣＣレンズ３１ｋは、１対のシリンダーレンズがそれぞれ独立して回転することが可能とされており、両レンズが互いに逆方向に回転されることにより乱視度数を変更させ、両レンズが同じ方向に一体的に回転されることにより乱視軸角度を変更させる。このＶＣＣレンズ３１ｋは、図示を略す駆動部が制御部２１（図２参照）の制御下で駆動されることにより、乱視検査において乱視度数および乱視軸角度が調整される。なお、ダイクロイックフィルター３１ｐと対物レンズ３１ｑとは、それらが設けられた位置が、前眼部観察光学系３２（眼特性測定部３０（眼科装置１０）の光学的な構成）における主光軸Ｏ１上とされている。このため、眼科装置１０では、測定を行う際に、顎受部１５および額当部１６により顔が固定された被検者の被検眼Ｅを主光軸Ｏ１上に位置させることとなる。
【００５８】
加えて、視標投影光学系３１では、光軸Ｏ２´上に、グレア用光源３１ｗが設けられている。その光軸Ｏ２´は、視標投影光学系３１において、ハーフミラー３１ｅからリレーレンズ３１ｆを経てミラー３１ｇに至るまでの間における光軸Ｏ２をハーフミラー３１ｅから延長させたものとされている。グレア用光源３１ｗは、視標投影光学系３１により視標を呈示された被検眼Ｅに対してグレア光を投影させるものであり、本実施例ではＬＥＤが用いられている。このグレア用光源３１ｗは、被検眼Ｅに白内障があるか否かを判別するグレアテストを行う際に制御部２１（図２参照）の制御下で点灯される。すると、そのグレア用光源３１ｗから出射されたグレア用の光束は、ハーフミラー３１ｅを透過して視標投影光学系３１の光軸Ｏ２上を進行することとなり、後述する視標光束と同様に被検眼Ｅへと進行する。
【００５９】
この視標投影光学系３１では、視標光源３１ａから白色光を出射し、その白色光を色補正フィルタ３１ｂで所望の色とした後にコリメータレンズ３１ｃにより平行光束とし、指標切替部３１ｄ（そこで支持されて光軸Ｏ２上に位置された視標）を透過させて視標光束とする。そして、視標投影光学系３１では、視標光束を、ハーフミラー３１ｅで反射してリレーレンズ３１ｆを通した後にミラー３１ｇで反射して合焦レンズ３１ｈへと進行させる。視標投影光学系３１では、視標光束を、合焦レンズ３１ｈ、リレーレンズ３１ｉ、フィールドレンズ３１ｊおよびＶＣＣレンズ３１ｋを通した後、ミラー３１ｍにより反射し、ダイクロイックフィルター３１ｎを通過させてダイクロイックフィルター３１ｐへと進行させる。そして、視標投影光学系３１では、その視標光束をダイクロイックフィルター３１ｐで前眼部観察光学系３２における主光軸Ｏ１上へと反射して、対物レンズ３１ｑを経て被検眼Ｅへと進行させる。これにより、視標投影光学系３１では、指標切替部３１ｄにより光軸Ｏ２上に位置させた視標を、前眼部観察光学系３２（眼特性測定部３０（眼科装置１０）の光学的な構成）における主光軸Ｏ１上で、被検眼Ｅに呈示（投影）することができる。
【００６０】
視標投影光学系３１は、風景チャート３１ｕを経て被検眼Ｅに投影した固視標としての視標光束を、被検者に固視目標として注視させることにより、当該被検者の視線を固定する。また、視標投影光学系３１は、被検者に固視目標として注視させた状態から、ピントが合わない位置まで合焦レンズ３１ｈを移動させることにより、被検眼Ｅを雲霧状態とする。加えて、視標投影光学系３１は、自覚視標としてのチャート（ＶＡチャート３１ｖ等）を経て被検眼Ｅに投影した自覚視標としての視標光束を、被検者に注視させることにより、当該自覚視標に応じた自覚測定を行う。このため、眼特性測定部３０（眼科装置１０）では、自覚測定においてＶＡチャート３１ｖを用いることで視力検査を行うことができる。また、他のチャートを用いた場合、当該チャートに則ったテストを行うことができる。
【００６１】
前眼部観察光学系３２は、前眼部照明光源３２ａを有するとともに、主光軸Ｏ１上に、ハーフミラー３２ｂとシャッター３２ｃとリレーレンズ３２ｄとダイクロイックフィルター３２ｅと結像レンズ３２ｆと撮像素子３２ｇとを有し、視標投影光学系３１と対物レンズ３１ｑおよびダイクロイックフィルター３１ｐを共用する。撮像素子３２ｇは、二次元固体撮像素子であり、本実施例ではＣＣＤ（電荷結合素子）イメージセンサを用いている。前眼部照明光源３２ａは、被検眼Ｅの前眼部（角膜Ｅｃ）を照明するための光源である。この前眼部照明光源３２ａは、装置本体部１３における前後方向の被検者側（Ｚ軸方向の正側）の端部において、後述するケラトリングパターン３８を取り囲むように複数個（図３には２つのみ示す）設けられている。各前眼部照明光源３２ａは、点灯されることで被検眼Ｅの前眼部（角膜Ｅｃ）を直接照明する。
【００６２】
この前眼部観察光学系３２では、各前眼部照明光源３２ａから出射した照明光束で被検眼Ｅの前眼部（角膜Ｅｃ）を照明して、その前眼部で反射された照明光束を対物レンズ３１ｑで取得する。このとき、前眼部観察光学系３２では、シャッター３２ｃを開いた状態として、主光軸Ｏ１上の光路を開けておく。前眼部観察光学系３２では、その反射された照明光束を、対物レンズ３１ｑを経て、ダイクロイックフィルター３１ｐおよびハーフミラー３２ｂを通して、リレーレンズ３２ｄおよびダイクロイックフィルター３２ｅを経て結像レンズ３２ｆにより撮像素子３２ｇ（その受光面）上に結像させる。その撮像素子３２ｇは、取得した画像に基づく画像信号を制御部２１（図２参照）に出力する。その制御部２１は、入力された画像信号に基づいて、前眼部（角膜Ｅｃ）の画像を表示部１４（図１参照）に表示させる（図５等参照）。このため、前眼部観察光学系３２では、撮像素子３２ｇ（その受光面）上に前眼部（角膜Ｅｃ）の像を形成することができ、表示部１４に当該前眼部の画像（前眼部像Ｅ´）を表示させることができる。なお、アライメント完了後の屈折力測定時には、前眼部観察光学系３２の前眼部照明光源３２ａを消灯し、シャッター３２ｃを閉じた状態として主光軸Ｏ１上の光路が閉じるものとしてもよい。
【００６３】
レフ測定投影光学系３３は、光軸Ｏ３上に、レフ測定用光源３３ａとコリメータレンズ３３ｂと円錐プリズム３３ｃとレフ測定リング３３ｄとリレーレンズ３３ｅと瞳リング３３ｆとフィールドレンズ３３ｇと穴開きプリズム３３ｈとロータリープリズム３３ｉとを有し、視標投影光学系３１とダイクロイックフィルター３１ｎ、ダイクロイックフィルター３１ｐおよび対物レンズ３１ｑを共用する。そのレフ測定用光源３３ａと瞳リング３３ｆとは光学的に共役な位置に配置し、レフ測定リング３３ｄと被検眼Ｅの眼底Ｅｆとは光学的に共役な位置に配置している。また、レフ測定用光源３３ａ、コリメータレンズ３３ｂ、円錐プリズム３３ｃおよびレフ測定リング３３ｄは、指標ユニット３３Ｕを構成し、この指標ユニット３３Ｕは、指標移動機構３３Ｄによりレフ測定投影光学系３３の光軸Ｏ３に沿って一体に移動可能とされている。
【００６４】
レフ測定投影光学系３３では、レフ測定用光源３３ａから出射した光束をコリメータレンズ３３ｂで平行光束とし、円錐プリズム３３ｃを経てレフ測定リング３３ｄへと進行させる。その光束は、レフ測定リング３３ｄに形成されたリング状のパターン部分を透過して眼屈折力測定（レフ測定）用リング状指標としてのパターン光束とされる。このレフ測定投影光学系３３では、そのパターン光束をリレーレンズ３３ｅ、瞳リング３３ｆおよびフィールドレンズ３３ｇを経て穴開きプリズム３３ｈへと進行させ、その穴開きプリズム３３ｈの反射面により反射して、ロータリープリズム３３ｉを経てダイクロイックフィルター３１ｎへと進行させる。そして、レフ測定投影光学系３３では、パターン光束をダイクロイックフィルター３１ｎで反射した後にダイクロイックフィルター３１ｐで反射することで、前眼部観察光学系３２（眼特性測定部３０）の主光軸Ｏ１上に進行させる。そして、レフ測定投影光学系３３では、パターン光束を、対物レンズ３１ｑにより被検眼Ｅの眼底Ｅｆに結像させる。これにより、レフ測定投影光学系３３では、前眼部観察光学系３２（眼特性測定部３０）における主光軸Ｏ１上で、測定光としての眼屈折力測定（レフ測定）用リング状指標のパターン光束を、被検眼Ｅの眼底Ｅｆに向けて投影することができる。
【００６５】
レフ測定受光光学系３４は、光軸Ｏ４上に、穴開きプリズム３３ｈの穴部３４ａとフィールドレンズ３４ｂとミラー３４ｃとリレーレンズ３４ｄと合焦レンズ３４ｅとミラー３４ｆとを有し、視標投影光学系３１と対物レンズ３１ｑ、ダイクロイックフィルター３１ｐおよびダイクロイックフィルター３１ｎを共用し、かつレフ測定投影光学系３３とロータリープリズム３３ｉを共用し、しかも前眼部観察光学系３２とダイクロイックフィルター３２ｅ、結像レンズ３２ｆおよび撮像素子３２ｇを共用する。その合焦レンズ３４ｅは、指標合焦機構３４Ｄにより、レフ測定受光光学系３４の光軸Ｏ４に沿って移動可能とされている。その指標合焦機構３４Ｄは、制御部２１（図２参照）の制御下で、被検眼Ｅの前眼部（角膜Ｅｃ）にピントを合わせるべく合焦レンズ３４ｅを適宜移動させる。
【００６６】
レフ測定受光光学系３４では、レフ測定投影光学系３３によって眼底Ｅｆに導かれ、かつ当該眼底Ｅｆで反射されたパターン反射光束を、対物レンズ３１ｑにより集光し、ダイクロイックフィルター３１ｐで反射した後にダイクロイックフィルター３１ｎで反射して、ロータリープリズム３３ｉへと進行させる。そして、レフ測定受光光学系３４では、反射されたパターン反射光束を、ロータリープリズム３３ｉを経て穴開きプリズム３３ｈの穴部３４ａへと進行させて、この穴部３４ａを通過させる。レフ測定受光光学系３４では、穴部３４ａを通過したパターン反射光束を、フィールドレンズ３４ｂを経た後にミラー３４ｃによって反射し、リレーレンズ３４ｄを経て合焦レンズ３４ｅへと進行させる。このとき、レフ測定受光光学系３４では、パターン反射光束すなわちレフ測定用リング状指標の結像位置が撮像素子３２ｇ（その受光面）上となるように合焦レンズ３４ｅの光軸Ｏ４上での位置が調整される。そして、レフ測定受光光学系３４では、パターン反射光束を、その合焦レンズ３４ｅを経た後にミラー３４ｆによって反射し、ダイクロイックフィルター３２ｅで反射することで、前眼部観察光学系３２（眼特性測定部３０）の主光軸Ｏ１上に進行させる。レフ測定受光光学系３４では、結像レンズ３２ｆにより撮像素子３２ｇ（その受光面）上に、パターン反射光束すなわちレフ測定用リング状指標を結像させる。その撮像素子３２ｇは、取得した画像に基づく画像信号を制御部２１（図２参照）に出力する。その制御部２１は、入力された画像信号に基づいて、レフ測定用リング状指標の画像を表示部１４（図１参照）に表示させる。このため、レフ測定受光光学系３４では、撮像素子３２ｇ（その受光面）上にレフ測定用リング状指標の像を形成することができ、その画像データを撮像素子３２ｇに取得させることができ、表示部１４に当該レフ測定用リング状指標の画像を表示させることができる。
【００６７】
ＸＹアライメント光投影光学系３５は、ＸＹ方向検出用光源３５ａと集光レンズ３５ｂとを有し、前眼部観察光学系３２とハーフミラー３２ｂを共用し、かつ視標投影光学系３１とダイクロイックフィルター３１ｐおよび対物レンズ３１ｑを共用する。そのＸＹ方向検出用光源３５ａは、ＸＹアライメント指標光束を形成するスポット状の光源であり、ＬＥＤが用いられている。
【００６８】
このＸＹアライメント光投影光学系３５では、ＸＹ方向検出用光源３５ａからのＸＹアライメント指標光束を、集光レンズ３５ｂで集光した後にハーフミラー３２ｂで反射することで、前眼部観察光学系３２（眼特性測定部３０）の主光軸Ｏ１上に進行させる。そして、ＸＹアライメント光投影光学系３５では、ＸＹアライメント指標光束を、ダイクロイックフィルター３１ｐを通して対物レンズ３１ｑへと進行させ、その対物レンズ３１ｑを経て被検眼Ｅの角膜Ｅｃに向けて投影する。その被検眼Ｅ（角膜Ｅｃ）に向けて投影されたＸＹアライメント指標光束は、その被検眼Ｅの角膜Ｅｃにおいて反射されることで、被検眼Ｅの内方にＸＹアライメント指標像としての輝点像Ｓを形成する。このため、前眼部観察光学系３２により撮像素子３２ｇ（その受光面）上に輝点像Ｓが形成された前眼部（角膜Ｅｃ）の像を形成することで、表示部１４に輝点像Ｓ（その像）が形成された前眼部の画像（前眼部像Ｅ´）を表示させることができる。ＸＹアライメント光投影光学系３５は、後述するように、形成したＸＹアライメント指標像としての輝点像Ｓを用いることで、ＸＹ方向での位置の調節、いわゆるＸＹアライメントを可能とする。このため、ＸＹアライメント光投影光学系３５は、眼特性測定部３０において被検眼Ｅの前眼部（前眼部像Ｅ´）の画像上にアライメント目標としてのＸＹアライメント指標像（輝点像Ｓ）を形成するアライメント光投影光学系（アライメント光学系）として機能する。
【００６９】
このことから、検者は、ＸＹアライメント指標像（アライメント目標）としての輝点像Ｓが図示を略すアライメントマーク内に位置するように装置本体部１３を移動させることで、マニュアル操作によるＸＹアライメントを行うことができる。また、検者は、前眼部像Ｅ´における任意の位置が眼特性測定部３０の主光軸Ｏ１上に位置するように装置本体部１３を移動させることで、マニュアル操作によるＸＹアライメントを行うことができる。そして、眼科装置１０は、オートアライメントモードの場合には、上述したように、アライメント判定回路２３がＸＹアライメント指標像（アライメント目標）としての輝点像Ｓの位置から被検眼Ｅに対する装置本体部１３のＸ軸方向およびＹ軸方向のズレ量を求め、このズレ量に応じて制御部２１がＸドライバ１２ｄおよびＹドライバ１２ｅを制御することで装置本体部１３をＸＹ方向へ移動させてＸＹアライメントを行う。
【００７０】
ケラトリング状指標投影光学系３６は、対物レンズ３１ｑの前方側において前眼部観察光学系３２の主光軸Ｏ１に関連して設けられており、ケラトリング状指標投影光源３７とケラトリング（角膜形状測定用リング）パターン３８とを有する。そのケラトリング状指標投影光源３７は、ケラトリングパターン３８上において被検眼Ｅ（角膜Ｅｃ）から所定の距離とされて、前眼部観察光学系３２の主光軸Ｏ１に関して同心状に設けられている。そのケラトリングパターン３８は、図４に示すように、全体に板状を呈し、主光軸Ｏ１を中心とする中心穴３８ａと、主光軸Ｏ１に関する同心位置で環状を呈する複数のスリット３８ｂと、主光軸Ｏ１から等しい位置で対を為す透過穴３８ｃと、を有する。ケラトリングパターン３８は、中心穴３８ａの中心位置が主光軸Ｏ１と一致されており、当該中心穴３８ａから対物レンズ３１ｑを露呈させている。ケラトリング状指標投影光源３７は、ケラトリングパターン３８のスリット３８ｂに対応して設けられており、その対応するスリット３８ｂを経て被検眼Ｅ（角膜Ｅｃ）にケラトリング状指標としての光束（測定光）を投影する（図３参照）。その光束は、被検眼Ｅの角膜Ｅｃに投影されることで、その角膜Ｅｃにケラトリング状指標を形成する。このため、前眼部観察光学系３２により撮像素子３２ｇ（その受光面）上にケラトリング状指標が形成された前眼部（角膜Ｅｃ）の像を形成することで、表示部１４にケラトリング状指標（その像）が形成された前眼部の画像（前眼部像Ｅ´）を表示させることができる。
【００７１】
眼特性測定部３０では、図３に示すように、そのケラトリング状指標投影光学系３６のケラトリングパターン３８の後方側に、Ｚ方向検出平行投影系３９が設けられている。そのＺ方向検出平行投影系３９では、Ｚ方向検出用光源３９ａと集光レンズ３９ｂとが、ケラトリングパターン３８の一対の透過穴３８ｃ（図４参照）に対応して設けられている。Ｚ方向検出平行投影系３９は、各Ｚ方向検出用光源３９ａから出射した光束を対応する集光レンズ３９ｂで集光し、ケラトリングパターン３８の対応する透過穴３８ｃ（図４参照）を経て被検眼Ｅへと進行させてＺ方向検出輝点像を形成する。このＺ方向検出平行投影系３９は、形成したＺ方向検出輝点像を、上述したケラトリング状指標投影光源３７が形成するケラトリング状指標像と併せて用いることで、前後方向（Ｚ軸方向）での位置の調節、いわゆるＺ軸方向のアライメントを可能とする。
【００７２】
このため、検者は、このＺ方向検出輝点像とケラトリング状指標像との相対的な位置関係を適切なものとするように装置本体部１３を移動させることで、マニュアル操作によるＺアライメントを行うことができる。また、検者は、上述したように、Ｚ方向検出輝点像とケラトリング状指標像との相対的な位置関係に基づいて生成される合焦判断記号４２が、合焦完了位置であることを示すように装置本体部１３を移動させることで、マニュアル操作によるＺアライメントを行うことができる。そして、眼科装置１０は、オートアライメントモードの場合には、上述したように、合焦判断回路２２がＺ方向検出輝点像とケラトリング状指標像とに基づく撮像素子３２ｇからの信号を用いることで、被検眼Ｅに対する装置本体部１３のＺ軸方向のズレ量を求め、このズレ量に応じて制御部２１がＺドライバ１２ｆを制御することで装置本体部１３を適宜Ｚ軸方向へ移動させてＺアライメントを行う。
【００７３】
眼科装置１０では、制御部２１（図２参照）の制御下で、図５等に示すように、表示部１４の表示面１４ａに、被検眼Ｅの前眼部（前眼部像Ｅ´）の画像に加えて、表示部１４におけるタッチパネルの機能を利用して触れることによる選択（切替）操作を可能するアイコンとしての各種記号を表示させる。本実施例では、表示部１４の表示面１４ａにおいて、中央の画像表示領域１４ｂを前眼部（前眼部像Ｅ´）等の画像を表示する表示領域としている。また、表示部１４の表示面１４ａにおいて、画像表示領域１４ｂの左側の左側記号表示領域１４ｃと右側の右側記号表示領域１４ｄと下側の下側記号表示領域１４ｅとを、各種記号を表示させる表示領域としている。
【００７４】
その画像表示領域１４ｂでは、後述する目標位置標示記号４１（図５参照）や上述した合焦判断記号４２（図６参照）が、適宜前眼部像Ｅ´に重ねて表示される。また、画像表示領域１４ｂでは、図示は略すが、他覚測定による測定結果やその他検査に関連する文字、記号、符号、図形等が、適宜前眼部像Ｅ´に重ねて表示される。
【００７５】
左側記号表示領域１４ｃでは、各種記号として、キーボードボタンＢ１と、ＲボタンＢ２と、顎受け上下動ボタンＢ３と、測定モードボタンＢ４と、が表示される。そのキーボードボタンＢ１は、患者のＩＤを入力するのに用いる。ＲボタンＢ２は、測定対象として被検者の右側の被検眼Ｅ（右眼）を選択するのに用いる。顎受け上下動ボタンＢ３は、顎受部１５（図１参照）を上下動させて高さ位置を変更することにより、被検者の被検眼Ｅの高さ位置を調整するのに用いる。測定モードボタンＢ４は、レフ（眼屈折力の測定）、ケラト（角膜形状の測定）、レフ／ケラト（レフとケラトとの連続測定）、のいずれかの測定モードに切り替えるのに用いる。
【００７６】
右側記号表示領域１４ｄでは、各種記号として、セットアップボタンＢ５と、ＬボタンＢ６と、測定ヘッド前後ボタン（Ｚ軸方向ボタン）Ｂ７と、スタートボタンＢ８と、マニュアル・オート切り替えボタンＢ９と、が表示される。そのセットアップボタンＢ５は、セットアップ画面を表示するのに用いる。ＬボタンＢ６は、測定対象として被検者の左側の被検眼Ｅ（左眼）を選択するのに用いる。測定ヘッド前後ボタンＢ７は、被検眼Ｅに対して装置本体部１３（眼特性測定部３０）を前後方向に駆動させる際に用いる。スタートボタンＢ８は、マニュアルアライメントモード時に測定を実行させるのに用いる。マニュアル・オート切り替えボタンＢ９は、被検眼Ｅに対する眼特性測定部３０（装置本体部１３）の位置の調整（アライメント）を、自動で行う（オートアライメントモード）か、手動で行う（マニュアル操作（マニュアルアライメントモード））か、を選択するのに用いる。なお、マニュアルアライメントモードが選択されると、制御部２１の制御下で、表示部１４の表示面１４ａに表示された画像における触れられた箇所（タップ位置）が、表示面１４ａにおける中心位置に位置するように、装置本体部１３（眼特性測定部３０）が上下方向（Ｙ軸方向）、左右方向（Ｘ軸方向）および前後方向（Ｚ軸方向）へと移動される。また、マニュアルアライメントモードが選択されると、表示部１４の表示面１４ａには、制御部２１の制御下で、マニュアル操作のための記号（移動ボタン）、すなわち装置本体部１３（眼特性測定部３０）を上下方向（Ｙ軸方向）、左右方向（Ｘ軸方向）および前後方向（Ｚ軸方向）へと移動させるための記号（移動ボタン）が表示される。そして、マニュアルアライメントモードでは、制御部２１の制御下で、その表示部１４（表示面１４ａ）に表示された各記号（移動ボタン）に為された操作に応じて、装置本体部１３（眼特性測定部３０）が上下方向（Ｙ軸方向）、左右方向（Ｘ軸方向）および前後方向（Ｚ軸方向）へと移動される。
【００７７】
下側記号表示領域１４ｅでは、各種記号として、白内障ボタンＢ１０と、固視標ボタンＢ１１と、角膜直径ボタンＢ１２と、プリントボタンＢ１３と、グラフィックプリントボタンＢ１４と、ターゲット像ボタンＢ１５と、全測定値クリアボタンＢ１６と、が表示される。その白内障ボタンＢ１０は、白内障を発症している被検眼（白内障眼）に適応させて測定する際に用いる。固視標ボタンＢ１１は、固視標の明るさを変更するために用いる。角膜直径ボタンＢ１２は、角膜の直径を測定するモードに切り替える際に用いる。プリントボタンＢ１３は、測定結果をプリントアウトする際に用いるものであり、測定結果が無い場合には紙送りをするのに用いる。グラフィックプリントボタンＢ１４は、屈折状態示す図形をプリントアウトするのに用いる。ターゲット像ボタンＢ１５は、記憶している測定ターゲットを表示面１４ａに表示させる際に用いる。全測定値クリアボタンＢ１６は、全測定値のデータを消去（クリア）するのに用いる。
【００７８】
次に、上述した眼科装置１０（眼特性測定部３０）を用いて、被検眼Ｅの眼屈折力（球面度数、乱視度数、乱視軸角度等）と被検眼Ｅの角膜Ｅｃの形状とを測定する際の概略的な動作について説明する。なお、眼科装置１０（眼特性測定部３０）における下記の動作は、制御部２１（図２参照）の制御下で実行される。先ず、眼科装置１０の電源スイッチを投入し、表示部１４に他覚測定を行う旨の操作を行う。すると、眼科装置１０では、前眼部観察光学系３２において、前眼部照明光源３２ａを点灯させて、表示部１４に前眼部（角膜Ｅｃ）の画像を表示させる。そして、眼科装置１０では、上述したように自動（オートアライメントモード）もしくはマニュアル操作（マニュアルアライメントモード）により、ベース１１に対して装置本体部１３を適宜移動させて、被検眼Ｅに対する眼特性測定部３０の上下方向（Ｙ軸方向）、左右方向（Ｘ軸方向）および前後方向（Ｚ軸方向）のアライメントを行う。
【００７９】
すると、眼科装置１０（眼特性測定部３０）では、レフ測定投影光学系３３のレフ測定用光源３３ａを点灯して、眼屈折力測定（レフ測定）用リング状指標のパターン光束を、主光軸Ｏ１で被検眼Ｅの眼底Ｅｆに投影する。そして、眼科装置１０（眼特性測定部３０）では、眼底Ｅｆで反射されたレフ測定用リング状指標を、レフ測定受光光学系３４により撮像素子３２ｇ上に結像させる。その撮像素子３２ｇは、取得した画像に基づく画像信号を制御部２１（図２参照）に出力する。その制御部２１は、入力された画像信号に基づいて、レフ測定用リング状指標の画像を表示部１４（図１参照）に表示させる。そして、制御部２１では、表示部１４に表示させた画像（撮像素子３２ｇからの画像信号）に基づいて、眼底Ｅｆに投影されたレフ測定用リング状指標の像から眼屈折力としての球面度数、円柱度数、軸角度を測定する。この眼屈折力としての球面度数、円柱度数、軸角度の測定の詳細については、公知であるのでその説明は省略する。このため、眼科装置１０では、レフ測定投影光学系３３が測定光を被検眼Ｅに向けて投影する眼特性測定投影光学系として機能し、レフ測定受光光学系３４が、測定光の被検眼Ｅ（その眼底Ｅｆ）からの反射光を受光する眼特性測定受光光学系として機能する。
【００８０】
また、眼科装置１０（眼特性測定部３０）では、ケラトリング状指標投影光源３７を点灯して、ケラトリング状指標を主光軸Ｏ１で被検眼Ｅの角膜Ｅｃに投影する。そして、眼科装置１０（眼特性測定部３０）では、被検眼Ｅの角膜Ｅｃで反射されたケラトリング状指標を、前眼部観察光学系３２により撮像素子３２ｇ上に結像させる。その撮像素子３２ｇは、取得した画像に基づく画像信号を制御部２１（図２参照）に出力する。その制御部２１は、入力された画像信号に基づいて、ケラトリング状指標の画像を表示部１４（図１参照）に表示させる。そして、制御部２１では、表示部１４に表示させた画像（撮像素子３２ｇからの画像信号）に基づいて、角膜Ｅｃに投影されたケラトリング状指標の像から角膜Ｅｃの形状を測定する。この角膜Ｅｃの形状の測定の詳細については、公知であるのでその説明は省略する。このため、眼科装置１０では、ケラトリング状指標投影光源３７が測定光を被検眼Ｅに向けて投影する眼特性測定投影光学系として機能し、前眼部観察光学系３２が、測定光の被検眼Ｅからの反射光を受光する眼特性測定受光光学系として機能する。
【００８１】
このように、制御部２１は、眼屈折力の測定を実行するとともに、角膜形状の測定を実行する。なお、制御部２１は、演算結果等を記憶部（図示を略す）に適宜格納する。これにより、眼科装置１０では、被検眼Ｅの眼屈折力（球面度数、乱視度数、乱視軸角度等）と、被検眼Ｅの角膜Ｅｃの形状と、を測定することができる。そして、眼科装置１０では、上記した動作を被検者の双方の眼に対して実行することにより、双方の眼の眼屈折力（球面度数、乱視度数、乱視軸角度等）と角膜Ｅｃの形状とを測定することができる。このとき、眼科装置１０では、被検者が測定を実行している被検眼Ｅとは反対側の眼を覆ったり当該眼を瞑ったりすることなく、被検眼Ｅの上記した測定を行うことができる。
【００８２】
次に、本発明に係る本実施例の眼科装置１０の特徴的な構成について、図５から図１４を用いて説明する。この眼科装置１０（眼特性測定部３０）では、制御部２１の制御下で、ＸＹアライメント光投影光学系３５でＸＹアライメント指標像としての輝点像Ｓを形成し、その輝点像Ｓに眼特性測定部３０の主光軸Ｏ１を一致させるように装置本体部１３（眼特性測定部３０）をＸＹ方向に適宜移動させることにより、ＸＹ方向でのアライメントを自動で行う。すなわち、眼科装置１０（眼特性測定部３０）では、ＸＹアライメント光投影光学系３５で形成した輝点像Ｓ（ＸＹアライメント指標像）をアライメント目標として、眼特性測定部の一例としての眼特性測定部３０（装置本体部１３）を移動させるアライメント動作により、オートアライメントモードにおけるＸＹ方向での自動アライメントを行う。
【００８３】
その眼特性測定部３０では、上述したように、前眼部観察光学系３２において、被検眼Ｅの前眼部の画像（前眼部像Ｅ´）を撮像素子３２ｇ上に結像させ、その撮像素子３２ｇが形成された前眼部像Ｅ´の受光に基づく信号を制御部２１（図２参照）へと出力する。これにより、眼特性測定部３０では、輝点像Ｓが形成された前眼部像Ｅ´の画像（そのデータ）を取得することができる。そして、制御部２１は、撮像素子３２ｇ（前眼部観察光学系３２）で取得した画像（そのデータ）を表示部１４（図１参照）に表示させることができることから、図５等に示すように、輝点像Ｓが形成された前眼部像Ｅ´を表示部１４に表示させることができる。このため、本実施例の眼特性測定部３０では、ＸＹアライメント光投影光学系３５が、アライメント目標として被検眼Ｅの内方に角膜Ｅｃからの反射による輝点像Ｓを形成するアライメント光投影光学系として機能するとともに、被検眼Ｅの画像上にアライメント目標を形成するアライメント光学系として機能する。また、本実施例の眼特性測定部３０では、前眼部観察光学系３２が、アライメント目標としての輝点像Ｓが形成された被検眼Ｅの前眼部の画像（前眼部像Ｅ´）を取得する観察光学系として機能する。制御部２１は、この前眼部像Ｅ´の画像（そのデータ）に基づいて、前眼部像Ｅ´における輝点像Ｓの位置を検出し、その位置をアライメント目標として設定する。
【００８４】
その検出は、本実施例では、この前眼部像Ｅ´の画像（そのデータ）において輝点像Ｓを検出すべく設定された検出閾値を超えた輝度分布を輝点像Ｓとして検出し、その輝点像Ｓとして検出した箇所の重心位置を求めることにより、当該輝点像Ｓの位置を求める。この輝点像Ｓは、被検眼Ｅの角膜Ｅｃにおける頂点（角膜頂点）と曲率中心とを通る軸線上に形成されるものであることから、当該輝点像ＳのＸ−Ｙ平面上での位置を求めることにより、前眼部の角膜ＥｃのＸ−Ｙ平面上における角膜頂点を検出することができる。このため、角膜頂点（輝点像Ｓの位置）に眼特性測定部３０の主光軸Ｏ１を一致させるように装置本体部１３（眼特性測定部３０）をＸＹ方向に適宜移動させる（アライメント動作）ことにより、ＸＹ方向（主光軸Ｏ１に直交する方向）で見て眼特性測定部３０を被検眼Ｅに対して正確に位置合わせ（アライメント）することができる。これにより、前眼部観察光学系３２で取得した被検眼Ｅの画像（前眼部像Ｅ´）における輝点像Ｓの位置を目標（アライメント目標）として、眼特性測定部の一例としての眼特性測定部３０（装置本体部１３）を自動で移動させることにより、オートアライメントモードにおけるＸＹ方向での自動アライメントが完了する。
【００８５】
眼科装置１０（眼特性測定部３０）では、その前眼部観察光学系３２で取得した被検眼Ｅの画像（前眼部像Ｅ´）に重ねて、目標位置標示記号４１を表示部１４（その表示面１４ａ）に表示させることが可能とされている。その目標位置標示記号４１は、オートアライメントモードを実行する際、表示部１４（その表示面１４ａ）に表示された前眼部像Ｅ´の画像上において、移動の目標とする位置（アライメント目標）の把握を可能とするものである。目標位置標示記号４１は、本実施例では、オートアライメントモードにおいて基本的に輝点像Ｓをアライメント目標とするものであることから、その輝点像Ｓ（アライメント目標）を小さな間隔で取り囲むことのできる矩形状としている。ここで、基本的に輝点像Ｓを目標とするとしたのは、輝点像Ｓとは異なる輝点を誤って輝点像として検出してしまうことがあり、その誤って検出した輝点を目標（アライメント目標）としてしまうことがあることによる。制御部２１は、表示部１４（その表示面１４ａ）に表示させた前眼部像Ｅ´の画像上において、設定したアライメント目標（検出した輝点像Ｓ）の位置に一致させて目標位置標示記号４１を表示させる。このため、目標位置標示記号４１は、前眼部像Ｅ´に対する、アライメント動作におけるＸＹ方向すなわち眼特性測定部３０の主光軸Ｏ１に直交する方向での目標とする位置（アライメント目標）の把握を可能とすることができる。
【００８６】
また、眼科装置１０では、オートアライメントモードにおいて、眼特性測定部３０（装置本体部１３）をＸＹ方向へと自動で移動させる目標とする位置（アライメント目標）の適切な設定を補助する補助操作を行うことが可能とされている。この補助操作は、表示部１４の表示面１４ａの前眼部像Ｅ´におけるアライメント目標とする位置の適切な検出を可能とすべく、すなわち自動アライメントが適切に行われるものとすべく、眼特性測定部３０（装置本体部１３）の移動の目標とする位置（移動目標位置）を設定するものである。換言すると、補助操作は、アライメント目標としての輝点像Ｓ（その位置）を適切に検出することが可能となる位置へと、被検眼Ｅに対する眼特性測定部３０（装置本体部１３）の移動を促すものである。そして、制御部２１は、補助操作が為されると、検出したアライメント目標（本実施例では輝点像Ｓや異なる輝点）を目標とするアライメント動作を行っている場合には当該アライメント動作を中断して、当該補助操作で設定された移動目標位置を目標として眼特性測定部３０（装置本体部１３）をＸＹ方向へと自動で移動させる。すなわち、制御部２１は、アライメント目標を目標とするアライメント動作よりも、補助操作に応じた眼特性測定部３０（装置本体部１３）のＸＹ方向への移動を優先して行う。
【００８７】
本実施例では、この補助操作として、表示部１４の表示面１４ａにおいて前眼部像Ｅ´に重ねて表示させた目標位置標示記号４１の位置を移動させて、その移動された目標位置標示記号４１により移動目標位置を設定することが可能とされている。この位置の移動は、表示面１４ａにおいて前眼部像Ｅ´が表示される範囲内で可能とし、図５等に示す例では前眼部像Ｅ´が表示される画像表示領域１４ｂ内で可能とする。その位置の移動は、表示面１４ａに表示された目標位置標示記号４１に触れて、その表示面１４ａに触れた状態を維持したまま他の位置へと表示面１４ａ上を滑らせて移動させることにより行う。なお、この表示面１４ａにおける目標位置標示記号４１の位置の移動は、他の方法により行うものであってもよく、本実施例の構成に限定されるものではない。この場合、制御部２１は、移動された目標位置標示記号４１が存在する位置（移動目標位置）を目標として眼特性測定部３０（装置本体部１３）をＸＹ方向へと自動で移動させつつ、アライメント目標を設定すべく輝点像（Ｓ）の位置の検出を行う。
【００８８】
また、補助操作として、表示部１４の表示面１４ａにおける任意の位置の指定することにより、移動目標位置を設定することが可能とされている。この任意の位置の指定は、表示面１４ａにおいて前眼部像Ｅ´が表示される範囲内で可能とし、図５等に示す例では前眼部像Ｅ´が表示される画像表示領域１４ｂ内で可能とする。その任意の位置の指定は、前眼部像Ｅ´が表示された表示面１４ａにおける任意の位置に触れることにより行う。なお、この表示面１４ａにおける任意の位置の指定は、他の方法により行うものであってもよく、本実施例の構成に限定されるものではない。この場合、制御部２１は、指定された位置（移動目標位置）を目標として眼特性測定部３０（装置本体部１３）をＸＹ方向へと自動で移動させつつ、アライメント目標を設定すべく輝点像（Ｓ）の位置の検出を行う。
【００８９】
次に、制御部２１において実行される、眼特性測定部３０での測定の際に行う一実施例としてのアライメント測定制御処理について、図７を用いて説明する。その図７は、本実施例における制御部２１にて実行されるアライメント測定制御処理（アライメント測定制御方法）を示すフローチャートである。このアライメント測定制御処理（アライメント測定制御方法）は、オートアライメントモードにおいて目標位置標示記号４１を表示させるとともに、為された補助操作に応じた動作を行うものである。アライメント測定制御処理（アライメント測定制御方法）は、制御部２１の内蔵する記憶部２１ａもしくは当該制御部２１の外部に設けられた記憶部に記憶されたプログラムに基づいて、制御部２１が実行する。アライメント測定制御処理（アライメント測定制御方法）は、基本的にオートアライメントモードを実行して被検眼Ｅの光学特性（眼特性）を測定するものである。以下では、このアライメント測定制御処理（アライメント測定制御方法）としての図７のフローチャートの各ステップ（各工程）について説明する。このフローチャートは、眼特性測定部３０による測定をオートアライメントモードで実行する旨の操作が行われることにより開始される。
【００９０】
ステップＳ１では、アライメント目標を設定できたか否かを判断し、Ｙｅｓの場合はステップＳ２へ進み、Ｎｏの場合はステップＳ４へ進む。このステップＳ１では、上述した方法により輝点像（輝点像Ｓ）を検出し、表示部１４（その表示面１４ａ）に表示させた前眼部像Ｅ´の画像上における当該輝点像（輝点像Ｓ）の位置を検出し、その位置をアライメント目標として設定する。ここで、輝点像（輝点像Ｓ）は、後述するように、ＸＹアライメント光投影光学系３５でＸＹアライメント指標光束を被検眼Ｅの角膜Ｅｃに向けて投影しても、検出することができない場合がある。この場合には、アライメント目標を設定することができない。このため、ステップＳ１では、検出した輝点像（輝点像Ｓ（他の輝点も含む））（その位置）をアライメント目標として設定した際にはアライメント目標を設定できたものと判断し、輝点像（輝点像Ｓ）を検出することができなかった場合にはアライメント目標を設定できなかったものと判断する。また、このステップＳ１では、ステップＳ１２を経ている場合、すなわち先にアライメント動作を開始した後にステップＳ４またはステップＳ９で補助操作が為されている場合であって、複数の輝点を輝点像（輝点像Ｓ）として検出した場合には、当該補助操作で設定された移動目標位置に最も近い輝点像（輝点像Ｓ）の位置をアライメント目標として設定する。
【００９１】
ステップＳ２では、ステップＳ１での輝点像を検出したとの判断に続き、目標位置標示記号４１を表示させて、ステップＳ３へ進む。このステップＳ２では、ステップＳ１で設定したアライメント目標（輝点像（輝点像Ｓ））に一致させるように前眼部像Ｅ´（その画像）に重ねて目標位置標示記号４１を表示させる。なお、このアライメント測定制御処理では、当該目標位置標示記号４１が指し示した位置すなわちステップＳ１で設定したアライメント目標の位置、を目標とする自動でのアライメント動作が終了すると、この目標位置標示記号４１の表示を止める。
【００９２】
ステップＳ３では、ステップＳ２での目標位置標示記号４１を表示させることに続き、アライメント動作を開始して、ステップＳ４へ進む。このステップＳ３では、ステップＳ１で設定したアライメント目標（輝点像（輝点像Ｓ））の位置を目標とする自動でのアライメント動作を開始する。換言すると、ステップＳ３では、ステップＳ２で目標位置標示記号４１を一致させた位置をアライメント目標として、装置本体部１３（眼特性測定部３０）をＸＹ方向に移動させることを開始する。
【００９３】
ステップＳ４では、ステップＳ１での輝点像を検出していないとの判断、あるいは、ステップＳ３でのアライメント動作を開始すること、あるいはステップＳ７でのアライメント動作が終了していないとの判断に続き、補助操作が為されたか否かを判断し、Ｙｅｓの場合はステップＳ１２へ進み、Ｎｏの場合はステップＳ５へ進む。このステップＳ４では、後述する補助操作判断制御処理（図８のフローチャート参照）にしたがって、補助操作が為されたか否かの判断を行う。そして、ステップＳ４では、補助操作が為された場合には、その補助操作により設定された移動目標位置を目標として装置本体部１３（眼特性測定部３０）を移動させるべくステップＳ１２に進む。また、ステップＳ４では、補助操作が為されていない場合には、ステップＳ５に進む。
【００９４】
ステップＳ５では、ステップＳ４での補助操作が為されていないとの判断に続き、アライメントが適切に行われたか否かを判断し、Ｙｅｓの場合はステップＳ６へ進み、Ｎｏの場合はステップＳ７へ進む。このステップＳ５では、アライメント目標に対する自動でのアライメント動作により、被検眼Ｅに対して眼特性測定部３０（装置本体部１３）が適切な位置関係となったか否かを判断する。本実施例では、アライメント判定回路２３からズレ量が許容範囲内である旨を示す信号を受けることで、ＸＹ方向での被検眼Ｅに対する眼特性測定部３０（装置本体部１３）の位置が適切なものとなったものと判断する。また、本実施例では、Ｚアライメントを実行して合焦判断回路２２から合焦完了を示す信号を受けることで、Ｚ軸方向（前後方向）での被検眼Ｅに対する眼特性測定部３０（装置本体部１３）の位置が適切なものとなったものと判断する。そして、本実施例では、アライメント目標に対する自動でのアライメント動作を行ったにも拘わらずアライメント判定回路２３からズレ量が許容範囲内である旨を示す信号を受けられない場合、あるいはＺアライメントを実行したにも拘わらず合焦判断回路２２から合焦完了を示す信号を受けられない場合、あるいは目標とする位置が検出出来ていない場合には、適切な位置関係となっていない（アライメントが適切に行われていない）ものと判断する。
【００９５】
ステップＳ６では、ステップＳ５でのアライメントが適切に行われたとの判断に続き、被検眼Ｅの光学特性（眼特性）の測定を行って、アライメント測定制御処理を終了する。このステップＳ６では、上述したように、眼特性測定部３０を用いて、被検眼Ｅの眼屈折力（球面度数、乱視度数、乱視軸角度等）と、被検眼Ｅの角膜Ｅｃの形状と、を測定して、アライメント測定制御処理を終了する。
【００９６】
ステップＳ７では、ステップＳ５でのアライメントが適切に行われていないとの判断に続き、アライメント動作が終了したか否かを判断し、Ｙｅｓの場合はステップＳ８へ進み、Ｎｏの場合はステップＳ４へ戻る。このステップＳ７では、ステップＳ３で開始したアライメント動作が終了したか否か、すなわちステップＳ１で設定したアライメント目標（輝点像（輝点像Ｓ））の位置を目標とした装置本体部１３（眼特性測定部３０）のＸＹ方向への移動が終了したか否かを判断する。なお、ステップＳ７では、併せてステップＳ３でアライメント動作を開始した時点から所定の時間が経過したか否かを判断し、経過していない場合にはアライメント動作が終了していないものと判断し、経過した場合にはアライメント動作が終了したものと判断する。これは、アライメント目標への装置本体部１３（眼特性測定部３０）のＸＹ方向への移動が終了するのに十分な時間が経過しても、アライメント動作が終了しない場合があることによる。このようなことは、例えば、複数の輝点を輝点像として検出し、その複数の輝点像のうちのいずれのものをアライメント目標として設定すれば良いか迷ってしまった場合があげられる。このため、ステップＳ７での所定の時間は、アライメント目標への装置本体部１３（眼特性測定部３０）のＸＹ方向への移動が終了するのに十分な時間に設定する。そして、ステップＳ７では、アライメント動作が終了していない場合、ステップＳ４からステップＳ５を繰り返すべくステップＳ４へ戻る。これは、アライメント動作が終了していない場合には、当該アライメント動作が継続されることによりアライメントが適切に行われる可能性があるとともに、当該アライメント動作が継続される際に、補助操作が為されることや、マニュアルアライメントモードに切り替えられる可能性があることによる。なお、このステップＳ７では、ステップＳ１においてアライメント目標が設定できていない場合、上記したステップＳ７における所定の時間の経過を待つことなくアライメント動作が終了したものと判断するものとしてもよい。
【００９７】
ステップＳ８では、ステップＳ７でのアライメント動作が終了したとの判断に続き、アライメントエラーの報知を行って、ステップＳ９へ進む。このステップＳ８では、アライメント動作を実行したにも拘わらず被検眼Ｅに対して眼特性測定部３０（装置本体部１３）が適切な位置関係とならなかったことから、自動アライメントが適切に行えなかった旨の報知を行う。この報知は、本実施例では、表示部１４の表示面１４ａにその旨を表示することにより行う。なお、このアライメントエラーの報知は、自動アライメントが適切に行えなかった旨を検者に認識させることができるものであればよく、本実施例の構成に限定されるものではない。
【００９８】
ステップＳ９では、ステップＳ８でのアライメントエラーの報知を行うこと、あるいは、ステップＳ１０での所定の時間が経過していないとの判断、に続き、補助操作が為されたか否かを判断し、Ｙｅｓの場合はステップＳ１１へ進み、Ｎｏの場合はステップＳ１０へ進む。このステップＳ９では、後述する図８に示す補助操作判断制御処理のフローチャートにしたがって、補助操作が為されたか否かの判断を行う。そして、ステップＳ９では、補助操作が為された場合には、その補助操作により設定された移動目標位置を目標として装置本体部１３（眼特性測定部３０）を移動させるべくステップＳ１１に進む。また、ステップＳ９では、補助操作が為されていない場合には、ステップＳ１０に進む。
【００９９】
ステップＳ１０では、ステップＳ９での補助操作が為されていないとの判断に続き、所定の時間が経過したか否かを判断し、Ｙｅｓの場合はアライメント測定制御処理を終了し、Ｎｏの場合はステップＳ９へ戻る。このステップＳ１０では、ステップＳ８でアライメントエラーの報知した時点から所定の時間が経過したか否かを判断し、経過していない場合にはステップＳ９を繰り返すべくステップＳ９へ戻る。これは、ステップＳ９が、ステップＳ８でアライメントエラーの報知したことに対して、自動アライメントを適切に行うことを可能とするために何らかの動作がなされたか否かを判断するものであることによる。このため、ステップＳ１０での所定の時間は、当該報知に対応するための動作が為されるのに十分な時間に設定する。
【０１００】
ステップＳ１１では、ステップＳ９での補助操作が為されたとの判断に続き、アライメントエラーの報知を止めて、ステップＳ１２へ進む。このステップＳ１１では、アライメントエラーの報知に対して、自動アライメントが適切に行われるように補助操作が為されたことから、アライメントエラーの報知を止めて、当該補助操作で設定された移動目標位置を目標として装置本体部１３（眼特性測定部３０）を移動させるべくステップＳ１２に進む。
【０１０１】
ステップＳ１２では、ステップＳ４での補助操作が為されたとの判断、あるいは、ステップＳ１１でのアライメントエラーの報知を止めること、に続き、補助操作に応じて装置本体部１３を移動させて、ステップＳ１へ戻る。このステップＳ１２では、ステップＳ４またはステップＳ９で為された補助操作により設定された移動目標位置を目標として装置本体部１３（眼特性測定部３０）を移動させる。本実施例では、ステップＳ１２では、目標位置標示記号４１の位置が移動された場合には、移動された目標位置標示記号４１が存在する位置（移動目標位置）を目標として装置本体部１３（眼特性測定部３０）をＸＹ方向へと自動で移動させつつ、アライメント目標を設定すべく輝点像（Ｓ）の位置の検出を行う。また、ステップＳ１２では、表示面１４ａにおける任意の位置が指定された場合には、指定された位置（移動目標位置）を目標として装置本体部１３（眼特性測定部３０）をＸＹ方向へと自動で移動させつつ、アライメント目標を設定すべく輝点像（Ｓ）の位置の検出を行う。
【０１０２】
次に、上述したアライメント測定制御処理（アライメント測定制御方法）としての図７のフローチャートのステップＳ４およびステップＳ９における補助操作が為されたか否かを判断する際の補助操作判断制御処理（補助操作判断制御方法）について、図８を用いて説明する。その図８は、本実施例における制御部２１にて実行される補助操作判断制御処理（補助操作判断制御方法）を示すフローチャートである。以下では、この補助操作判断制御処理（補助操作判断制御方法）としての図８のフローチャートの各ステップ（各工程）について説明する。
【０１０３】
ステップＳ２１では、表示面１４ａが触れられたか否かを判断し、Ｙｅｓの場合はステップＳ２２へ進み、Ｎｏの場合はステップＳ２６へ進む。この補助操作判断制御処理（補助操作判断制御方法）では、オートアライメントモードを実行している場合において、前眼部（前眼部像Ｅ´）等の画像を表示する表示面１４ａ(本実施例では画像表示領域１４ｂ)を触ることを、補助操作判断制御処理の開始すなわち補助操作を行うための合図（切っ掛け）としている。このため、ステップＳ２１では、表示面１４ａ(画像表示領域１４ｂ)が触れられた（タップされた）か否かを判断することにより、補助操作を行うための合図（切っ掛け）が為されたか否かを判断している。このステップＳ２１では、表示面１４ａ(画像表示領域１４ｂ)が触れられた（タップされた）か否かを判断し、触られた場合には補助操作を行うための合図（切っ掛け）が為されたのでステップＳ２２へ進み、触られていない場合には当該合図（切っ掛け）が為されていないのでステップＳ２６へ進む。
【０１０４】
ステップＳ２２では、ステップＳ２１での表示面１４ａが触れられたとの判断に続き、オートアライメントモードにおける動作を中断して、ステップＳ２３へ進む。このステップＳ２２では、当該ステップＳ２２へと進んできた時点で行われているオートアライメントモードにおける動作を中断する。すなわち、上述したステップＳ４の場面では、ステップＳ３で開始した自動でのアライメント動作を中断し、上述したステップＳ９の場面では、アライメントエラーの報知を中断する。これは、自動でのアライメント動作が開始されている場面においては、当該アライメント動作により補助操作を適切に行うことが困難となり、アライメントエラーの報知が行われている場面においては、アライメントエラーに応じて動作を開始したにも拘らず当該報知が継続されていると違和感を与えてしまうことによる。このため、ステップＳ２２では、ステップＳ２１において補助操作を行うための合図（切っ掛け）が為されたと判断したことから、補助操作が為されることを待つ（待機する）べくオートアライメントモードにおける動作を中断する。
【０１０５】
ステップＳ２３では、ステップＳ２２でのオートアライメントモードにおける動作を中断すること、あるいは、ステップＳ２５での所定の時間が経過していないとの判断に続き、表示面１４ａにおける任意の位置が指定されたか否かを判断し、Ｙｅｓの場合はステップＳ２７へ進み、Ｎｏの場合はステップＳ２４へ進む。このステップＳ２３では、ステップＳ２２とは別に、前眼部像Ｅ´が表示された表示面１４ａ(その画像表示領域１４ｂ)における任意の位置が触れられたか否かを判断する。
【０１０６】
ステップＳ２４では、ステップＳ２３での表示面１４ａにおける任意の位置が指定されていないとの判断に続き、目標位置標示記号４１の位置が移動されたか否かを判断し、Ｙｅｓの場合はステップＳ２７へ進み、Ｎｏの場合はステップＳ２５へ進む。このステップＳ２４では、表示面１４ａ(その画像表示領域１４ｂ)に前眼部像Ｅ´に重ねて表示された目標位置標示記号４１が移動されたか否かを判断する。
【０１０７】
ステップＳ２５では、ステップＳ２４での目標位置標示記号４１の位置が移動されていないとの判断に続き、所定の時間が経過したか否かを判断し、Ｙｅｓの場合はステップＳ２６へ進み、Ｎｏの場合はステップＳ２３へ戻る。このステップＳ２５では、ステップＳ２１で表示面１４ａ(画像表示領域１４ｂ)が触れられてから所定の時間が経過したか否かを判断する。このステップＳ２５における所定の時間は、表示面１４ａ(画像表示領域１４ｂ)が触れられてから補助操作を行うのに十分な時間に設定している。このため、ステップＳ２５では、ステップＳ２１で表示面１４ａ(画像表示領域１４ｂ)に触れられたことが、補助操作を行うために為されたものであったか否かを判断している。
【０１０８】
ステップＳ２６では、ステップＳ２１での表示面１４ａが触れられていないとの判断、あるいは、ステップＳ２５での所定の時間が経過したとの判断に続き、補助操作が為されていないものと判断して、この補助操作判断制御処理を終了する。このステップＳ２６では、ステップＳ２１で表示面１４ａ(画像表示領域１４ｂ)が触れられていない場合、補助操作を行うための合図（切っ掛け）が為されていないことから、補助操作が為されていないものと判断する。また、ステップＳ２６では、ステップＳ２１で表示面１４ａ(画像表示領域１４ｂ)が触れられた場合、その後に表示面１４ａ(画像表示領域１４ｂ)における任意の位置が指定されることがなく、かつ目標位置標示記号４１の位置が移動されることがないまま、所定の時間が経過したので、補助操作が為されていないものと判断する。そして、ステップＳ２６では、補助操作が為されていないものと判断すると、ステップＳ２２で中断したオートアライメントモードにおける動作を再開して、この補助操作判断制御処理を終了する。
【０１０９】
ステップＳ２７では、ステップＳ２３での表示面１４ａにおける任意の位置が指定されたとの判断、あるいは、ステップＳ２４での目標位置標示記号４１の位置が移動されたとの判断に続き、補助操作が為されたものと判断して、この補助操作判断制御処理を終了する。このステップＳ２７では、ステップＳ２１で表示面１４ａ(画像表示領域１４ｂ)が触れられた後に、表示面１４ａ(画像表示領域１４ｂ)における任意の位置が指定された、あるいは目標位置標示記号４１の位置が移動されたことから、補助操作が為されたものと判断する。そして、ステップＳ２７では、補助操作が為されたものと判断すると、指定された表示面１４ａ(画像表示領域１４ｂ)における任意の位置、あるいは移動された目標位置標示記号４１が指し示した位置を、移動目標位置として記憶する。
【０１１０】
これにより、上述したアライメント測定制御処理（アライメント測定制御方法）としての図７のフローチャートのステップＳ４およびステップＳ９では、ステップＳ２およびステップＳ３を経ている場合には、目標位置標示記号４１の位置が移動されたか、表示面１４ａにおける任意の位置が指定されると、補助操作が為されたものと判断する。また、そのステップＳ４およびステップＳ９では、ステップＳ２およびステップＳ３を経ていない場合には、表示面１４ａにおける任意の位置が指定されると、補助操作が為されたものと判断する。そして、ステップＳ４およびステップＳ９では、目標位置標示記号４１の位置の移動も、表示面１４ａにおける任意の位置の指定もされていない場合には、補助操作が為されていないものと判断する。
【０１１１】
次に、上述したアライメント測定制御処理（アライメント測定制御方法）としての図７のフローチャートが実行されている際に、オートアライメントモードからマニュアルアライメントモードに切り替えられた際の、手動測定制御処理（手動測定制御方法）について、図９を用いて説明する。その図９は、本実施例における制御部２１にて実行される手動測定制御処理（手動測定制御方法）を示すフローチャートである。以下では、この手動測定制御処理（手動測定制御方法）としての図９のフローチャートの各ステップ（各工程）について説明する。このフローチャートは、図７のフローチャートが実行されている際に、そこで行っているオートアライメントモードからマニュアルアライメントモードに切り替えられることにより開始される。この切り替えは、図７のフローチャートが実行されている間であれば、どのようなタイミングであっても可能とされている。本実施例では、表示面１４ａに表示したマニュアル・オート切り替えボタンＢ９（図５等参照）に切り替えのための操作が為されることにより、マニュアルアライメントモードに切り替えられる。
【０１１２】
ステップＳ３１では、オートアライメントモードにおける動作を中止して、ステップＳ３２へ進む。このステップＳ３１では、上述したステップＳ３により開始された自動でのアライメント動作が行われている場合には、その自動でのアライメント動作を中止する。また、ステップＳ３１では、上述したステップＳ２により表示面１４ａ(画像表示領域１４ｂ)において前眼部像Ｅ´（その画像）に重ねて目標位置標示記号４１が表示されている場合には、その目標位置標示記号４１の表示を止める。さらに、ステップＳ３１では、上述したステップＳ８によりアライメントエラーの報知が行われている場合には、そのアライメントエラーの報知を止める。ついで、ステップＳ３１では、上述したステップＳ１２により装置本体部１３の補助操作で設定された移動目標位置への移動が行われている場合には、その装置本体部１３の移動を止める。
【０１１３】
ステップＳ３２では、ステップＳ３１でのオートアライメントモードにおける動作を中止すること、あるいは、ステップＳ３３での測定を実行させる操作が為されていないとの判断に続き、マニュアル操作に応じた移動を行って、ステップＳ３３へ進む。このステップＳ３２では、装置本体部１３を移動するためのマニュアル操作に応じて、装置本体部１３を移動させる。このマニュアル操作は、本実施例では、表示部１４の表示面１４ａの画像において任意の箇所が触れられ(タップされ)、その触れられた箇所（タップ位置）へと装置本体部１３を移動させることにより行われる。また、マニュアル操作は、本実施例では、表示面１４ａに表示されたマニュアル操作のための記号（移動ボタン）への操作が行われ、その操作に応じて装置本体部１３を移動させることにより行われる。
【０１１４】
ステップＳ３３では、ステップＳ３２でのマニュアル操作に応じた移動に続き、測定を実行させる操作が為されたか否かを判断し、Ｙｅｓの場合はステップＳ３４へ進み、Ｎｏの場合はステップＳ３２へ戻る。このステップＳ３３では、マニュアル操作により移動された位置の装置本体部１３すなわち眼特性測定部３０により、被検眼Ｅの光学特性（眼特性）の測定を行う旨の操作が為されたか否かを判断する。ステップＳ３３では、本実施例では、スタートボタンＢ８（図５等参照）に測定を行うための操作が為されたか否かを判断する。
【０１１５】
ステップＳ３４では、ステップＳ３３での測定を実行させる操作が為されたとの判断に続き、被検眼Ｅの光学特性（眼特性）の測定を行って、手動測定制御処理を終了する。このステップＳ３４では、上述したように、眼特性測定部３０を用いて、被検眼Ｅの眼屈折力（球面度数、乱視度数、乱視軸角度等）と、被検眼Ｅの角膜Ｅｃの形状と、を測定して、手動測定制御処理を終了する。
【０１１６】
次に、眼科装置１０において、眼特性測定部３０によりオートアライメントモードにて被検眼Ｅの光学特性（眼特性）の測定を行う際の動作について、図５から図９に加えて図１０から図１４を用いて説明する。その図５、図６および図１０から図１４は、当該動作の理解を容易とするために作成したものであって、必ずしも実際に当該動作を行う際の状態と一致するものではない。なお、以下の説明では、当該動作の理解を容易なものとすべく合焦判断記号４２（図６参照）の表示を省略しているが、眼特性測定部３０の主光軸Ｏ１上に被検眼Ｅが位置された状態において、その被検眼Ｅと装置本体部１３（眼特性測定部３０）との間隔が検出可能範囲となると、合焦判断記号４２も併せて表示面１４ａにされる。このため、検者は、目標位置標示記号４１に併せて合焦判断記号４２を確認することにより、前後方向（Ｚ軸方向）のズレ量およびその方向を把握することができる。
【０１１７】
先ず、図１０に示す状態において、ＸＹアライメント光投影光学系３５でＸＹアライメント指標光束を被検眼Ｅの角膜Ｅｃに向けて投影することにより形成した輝点像Ｓを適切に検出できる場合、すなわちアライメント目標と適切に設定できる場合について説明する。この場合、図７のフローチャートにおいて、ステップＳ１へと進むことにより、輝点像Ｓおよびその位置を適切に検出し、その位置をアライメント目標として設定する。そして、図７のフローチャートにおいて、ステップＳ２へと進むことにより、表示部１４（その表示面１４ａ）に表示させた前眼部像Ｅ´の画像上においてアライメント目標（検出した輝点像Ｓ）（その位置）に一致させて目標位置標示記号４１を表示させる。このため、検者は、表示部１４（その表示面１４ａ）における目標位置標示記号４１の位置を確認することで、被検眼Ｅの角膜頂点に形成された輝点像Ｓをアライメント目標として自動アライメントが行われることを把握することができる。このことから、検者は、何らの操作を行うことなく測定が行われることを待つこととなる。そして、図７のフローチャートにおいて、ステップＳ３→ステップＳ４→ステップＳ５へと進むことにより自動でアライメントが適切に行われる（図５参照）。その後、図７のフローチャートにおいてステップＳ６へと進むことにより、眼特性測定部３０を用いて、被検眼Ｅの眼屈折力（球面度数、乱視度数、乱視軸角度等）と、被検眼Ｅの角膜Ｅｃの形状と、が測定される。
【０１１８】
次に、図１１に示す状態において、ＸＹアライメント光投影光学系３５でＸＹアライメント指標光束を被検眼Ｅの角膜Ｅｃに向けて投影することにより形成した輝点像Ｓを適切に検出できない場合、すなわちアライメント目標と適切に設定できない場合について説明する。この図１１では、被検眼Ｅの斜め下に付着した化粧のラメ等の光沢物４３を輝点像として検出してしまった例を示している。この場合、図７のフローチャートにおいて、ステップＳ１へと進むことにより、光沢物４３およびその位置を輝点像として検出し、その位置をアライメント目標として設定する。そして、図７のフローチャートにおいて、ステップＳ２へと進むことにより、表示部１４（その表示面１４ａ）に表示させた前眼部像Ｅ´の画像上において検出した光沢物４３（その位置）に一致させて目標位置標示記号４１を表示させる。このため、検者は、表示部１４（その表示面１４ａ）における目標位置標示記号４１の位置を確認することで、誤った位置（光沢物４３）を目標として自動アライメントが行われることを把握することができる。これにより、検者は、光沢物４３を目標とする装置本体部１３（眼特性測定部３０）の移動が開始されると直ぐに、すなわち自動でのアライメント動作が終了する前に、自動アライメントが適切に行われないことを把握することができる。このことから、検者は、眼特性測定部３０を用いて被検眼Ｅの眼屈折力と被検眼Ｅの角膜Ｅｃの形状とを適切に測定すべく、自動アライメントが適切に行われないことへの対応を直ちに行うことができる。
【０１１９】
ここで、検者は、図１２に示すように、被検眼Ｅでは輝点像Ｓが適切に検出されているものとして、目標位置標示記号４１の位置を輝点像Ｓに合わせた位置へと移動させる補助操作（破線で示す目標位置標示記号４１から実線で示す目標位置標示記号４１への矢印を参照）を行ったものとする。すなわち、検者は、表示面１４ａ(画像表示領域１４ｂ)を触った（タップした）後に、目標位置標示記号４１の位置を輝点像Ｓ（その近傍）へと移動させたものとする。すると、図７のフローチャートにおいて、ステップＳ４→ステップＳ５→ステップＳ７→ステップＳ４へと進むことが繰り返されている間に補助操作が行われることで、図８のフローチャートにおいて、ステップＳ２１→ステップＳ２２へと進むことにより自動でのアライメント動作を中断し、ステップＳ２３→ステップＳ２４→ステップＳ２７へと進むことにより、ステップＳ４において補助操作が行われたものと判断する。そして、図７のフローチャートにおいて、ステップＳ４→ステップＳ１２→ステップＳ１へと進むことにより、移動された目標位置標示記号４１が存在する位置（移動目標位置）を目標として装置本体部１３（眼特性測定部３０）をＸＹ方向へと自動で移動させつつ、輝点像（アライメント目標）の位置の検出を行う。ここで、前眼部像Ｅ´の画像上では、輝点像Ｓと光沢物４３との２つの輝点が存在することとなるが、図７のフローチャートのステップＳ１では、ステップＳ１２を経ている場合、補助操作により設定された移動目標位置に最も近い輝点像（輝点像Ｓ）をアライメント目標として設定する。これにより、移動目標位置（目標位置標示記号４１が存在する位置）に最も近い輝点像Ｓがアライメント目標として設定される、すなわち光沢物４３（他の輝点）を無視させることができる。このことから、図７のフローチャートにおいて、ステップＳ２へと進むことで表示部１４（その表示面１４ａ）に表示させた前眼部像Ｅ´の画像上において設定したアライメント目標（輝点像Ｓ（その位置））に一致させて目標位置標示記号４１が表示される（図１０参照）。このため、上述したように、検者がこの後に何も行うことなく、眼特性測定部３０を用いて、被検眼Ｅの眼屈折力（球面度数、乱視度数、乱視軸角度等）と、被検眼Ｅの角膜Ｅｃの形状と、が測定される。
【０１２０】
また、検者は、図１３に示すように、被検眼Ｅでは輝点像Ｓが適切に検出されているものとして、前眼部像Ｅ´における角膜中心（その近傍）を指定位置４４として指定する補助操作を行ったものとする（図１３では、輝点像Ｓの位置を指定している）。すなわち、検者は、表示面１４ａ(画像表示領域１４ｂ)を触った（タップした）後に、輝点像Ｓ（その近傍）を触った（タップした）ものとする。すると、図７のフローチャートにおいて、ステップＳ４→ステップＳ５→ステップＳ７→ステップＳ４へと進むことが繰り返されている間に補助操作が行われることで、図８のフローチャートにおいて、ステップＳ２１→ステップＳ２２へと進むことにより自動でのアライメント動作を中断し、ステップＳ２３→ステップＳ２７へと進むことにより、ステップＳ４において補助操作が行われたものと判断する。そして、図７のフローチャートにおいて、ステップＳ４→ステップＳ１２→ステップＳ１へと進むことにより、指定された指定位置４４（移動目標位置）を目標として装置本体部１３（眼特性測定部３０）をＸＹ方向へと自動で移動させつつ、輝点像（アライメント目標）の位置の検出を行う。ここで、前眼部像Ｅ´の画像上では、輝点像Ｓと光沢物４３との２つの輝点が存在することとなるが、図７のフローチャートのステップＳ１では、ステップＳ１２を経ている場合、補助操作により設定された移動目標位置に最も近い輝点像（輝点像Ｓ）をアライメント目標として設定する。これにより、移動目標位置（目標位置標示記号４１が存在する位置）に最も近い輝点像Ｓがアライメント目標として設定される、すなわち光沢物４３（他の輝点）を無視させることができる。このことから、図７のフローチャートにおいて、ステップＳ２へと進むことにより、表示部１４（その表示面１４ａ）に表示させた前眼部像Ｅ´の画像上において設定したアライメント目標（輝点像Ｓ（その位置））に一致させて目標位置標示記号４１が表示される（図１０参照）。これにより、上述したように、検者がこの後に何も行うことなく、眼特性測定部３０を用いて、被検眼Ｅの眼屈折力（球面度数、乱視度数、乱視軸角度等）と、被検眼Ｅの角膜Ｅｃの形状と、が測定される。
【０１２１】
ここで、上記した補助操作により装置本体部１３（眼特性測定部３０）を移動させても、輝点像Ｓが適切に検出されない等によりアライメント目標が適切に設定されなかった場合、検者は、マニュアル・オート切り替えボタンＢ９（図５等参照）を操作して、マニュアルアライメントモードへと切り替えることができる。この輝点像Ｓが適切に検出されないとの判断は、補助操作の後であっても補助操作の後に輝点像Ｓ（その位置）に一致させて目標位置標示記号４１が表示されなかったり、輝点像Ｓ（その位置）に一致させて目標位置標示記号４１が表示された場合であってもその状態が続かなかったり（例えば、輝点像Ｓと他の輝点（この例では光沢物４３）とに交互に一致される等）することを確認することで行うことができる。その場合、検者がマニュアル・オート切り替えボタンＢ９（図５等参照）によりマニュアルアライメントモードへと切り替えると、図９のフローチャートにおいて、ステップＳ３１→ステップＳ３２へと進むことにより、マニュアル操作により任意の位置（例えば図１３の指定位置４４）へと装置本体部１３（眼特性測定部３０）を移動させることができる。このとき、そのステップＳ３１において、オートアライメントモードにおける動作を中止することとなるので、適切ではないアライメント目標を指し示す目標位置標示記号４１の表示が中止されるとともに、そのアライメント目標（目標位置標示記号４１が表示された位置）を目標とする自動でのアライメント動作は中止される。そして、検者がスタートボタンＢ８（図５等参照）を操作すると、図９のフローチャートにおいてステップＳ３３→ステップＳ３４へと進むことにより、マニュアル操作により移動された任意の位置で、眼特性測定部３０を用いて、被検眼Ｅの眼屈折力（球面度数、乱視度数、乱視軸角度等）と、被検眼Ｅの角膜Ｅｃの形状と、が測定される。このことは、図１１に示す状態から補助操作を行うことなく、マニュアルアライメントモードへと切り替えた場合であっても同様である。
【０１２２】
次に、図１４に示す状態において、ＸＹアライメント光投影光学系３５でＸＹアライメント指標光束を被検眼Ｅの角膜Ｅｃに向けて投影しても輝点像Ｓ（アライメント目標）が形成できない場合について説明する。この輝点像Ｓが形成されない原因としては、例えば、表示面１４ａに前眼部像Ｅ´が存在していない等のように被検眼Ｅに対する眼特性測定部３０（ＸＹアライメント光投影光学系３５）の位置が適切ではないことや、被検眼Ｅに瞼や睫毛が掛かっていること等により、ＸＹアライメント光投影光学系３５からのＸＹアライメント指標光束が被検眼Ｅの角膜Ｅｃに適切に投影されていないことが考えられる。また、輝点像Ｓが形成されない原因としては、例えば、被検眼Ｅの角膜Ｅｃが正常な形状とは異なることが考えられる。
【０１２３】
この場合、輝点像が検出出来ないことから、アライメント目標を設定することができず目標位置標示記号４１を表示させることができないので、図７のフローチャートにおいて、ステップＳ１→ステップＳ４へと進むことにより、表示部１４（その表示面１４ａ）には前眼部像Ｅ´の画像のみが表示される。このため、検者は、表示部１４（その表示面１４ａ）に目標位置標示記号４１が表示されていないことを確認することで、自動アライメントが適切に行われないことを把握することができる。また、検者は、表示部１４（その表示面１４ａ）に輝点像Ｓが表示されていないことを確認することで、輝点像Ｓが形成されていないことにより目標位置標示記号４１が表示されていないことも併せて確認することができる。このことから、検者は、眼特性測定部３０を用いて被検眼Ｅの眼屈折力と被検眼Ｅの角膜Ｅｃの形状とを適切に測定すべく、自動アライメントが適切に行われないことへの対応を直ちに行うことができる。
【０１２４】
この場合、検者は、補助操作を行う場合には、目標位置標示記号４１が表示されていないことから、任意の位置を指定することとなる。ここで、前眼部像Ｅ´における角膜中心（その近傍）を指定位置４５として指定したものとする。すなわち、検者は、表示面１４ａ(画像表示領域１４ｂ)を触った（タップした）後に、前眼部像Ｅ´における角膜中心（その近傍）を触った（タップした）ものとする。すると、図７のフローチャートにおいて、ステップＳ３→ステップＳ４→ステップＳ１２→ステップＳ１へと進むことにより、指定された指定位置４５（移動目標位置）を目標として装置本体部１３（眼特性測定部３０）をＸＹ方向へと自動で移動させつつ、輝点像（Ｓ）の位置の検出を行う。ここで、例えば、被検眼Ｅに対する眼特性測定部３０（ＸＹアライメント光投影光学系３５）の位置関係に起因して、そのＸＹアライメント光投影光学系３５からのＸＹアライメント指標光束が被検眼Ｅの角膜Ｅｃに適切に投影されていないことで輝点像Ｓが形成されていない場合には、指定位置４５（移動目標位置）を目標として装置本体部１３（眼特性測定部３０）が移動されることにより、輝点像Ｓが形成されない原因が解消されることが考えられる。そして、輝点像Ｓが形成されて当該輝点像Ｓが適切に検出されてアライメント目標が適切に設定されると、図７のフローチャートにおいて、ステップＳ２へと進むことにより、表示部１４（その表示面１４ａ）に表示させた前眼部像Ｅ´の画像上において検出した輝点像Ｓ（その位置）に一致させて目標位置標示記号４１を表示させる（図１０参照）。これにより、上述したように、検者がこの後に何も行うことなく、眼特性測定部３０を用いて、被検眼Ｅの眼屈折力（球面度数、乱視度数、乱視軸角度等）と、被検眼Ｅの角膜Ｅｃの形状と、が測定される。
【０１２５】
また、例えば、被検眼Ｅに瞼や睫毛が掛かっていること等により、ＸＹアライメント光投影光学系３５からのＸＹアライメント指標光束が被検眼Ｅの角膜Ｅｃに適切に投影されていないことで輝点像Ｓが形成されていない場合には、瞼を開いて睫毛が掛からないようにすることで、輝点像Ｓが形成されない原因が解消されることが考えられる。この場合には、補助操作は適宜行えばよい。この場合であっても、表示部１４（その表示面１４ａ）に表示された前眼部像Ｅ´のみの画像を確認することで、被検眼Ｅに瞼や睫毛が掛かっていることに起因して目標位置標示記号４１が表示されていない、すなわち輝点像Ｓ（アライメント目標）が検出できていないことを把握することができる。
【０１２６】
さらに、輝点像Ｓが形成されない原因としては、例えば、被検眼Ｅの角膜Ｅｃが正常な形状とは異なることが考えられる。この場合には、指定位置４５（移動目標位置）を目標として装置本体部１３（眼特性測定部３０）が移動されても、輝点像Ｓが形成されない原因が解消することはない。このため、輝点像が検出出来ないことから、アライメント目標を設定することができず目標位置標示記号４１を表示させることができないので、図７のフローチャートにおいて、ステップＳ１２→ステップＳ１→ステップＳ４へと進むことにより、表示部１４（その表示面１４ａ）には前眼部像Ｅ´の画像のみが表示されたままとなる。この場合、検者は、マニュアル・オート切り替えボタンＢ９（図５等参照）を操作して、マニュアルアライメントモードへと切り替えることができる。すると、図９のフローチャートにおいて、ステップＳ３１→ステップＳ３２へと進むことにより、検者は、マニュアル操作により任意の位置（例えば図１３の指定位置４４）へと装置本体部１３（眼特性測定部３０）を移動させることができる。そして、検者がスタートボタンＢ８（図５等参照）を操作すると、図９のフローチャートにおいてステップＳ３３→ステップＳ３４へと進むことにより、マニュアル操作により移動された任意の位置で、眼特性測定部３０を用いて、被検眼Ｅの眼屈折力と被検眼Ｅの角膜Ｅｃの形状とが測定される。このことは、補助操作を行うことなく、マニュアルアライメントモードへと切り替えた場合であっても同様である。
【０１２７】
なお、上記した各状況では、検者は、表示部１４（その表示面１４ａ）において目標位置標示記号４１を確認したら直ちにその状況に応じた対応を行っていた。しかしながら、輝点像Ｓが適切に検出されない場合（図１１参照）や、輝点像Ｓが形成されない場合（図１４参照）であって、補助操作もマニュアルアライメントモードへの切り替えも行わなかった場合には、図７のフローチャートにおいて、ステップＳ１→ステップＳ２→ステップＳ３→ステップＳ４（もしくはステップＳ１→ステップＳ４）→ステップＳ５→ステップＳ７→ステップＳ４へと進むことが繰り返されて、所定の時間が経過するとステップＳ７→ステップＳ８へと進むことにより、表示部１４（その表示面１４ａ）にアライメントエラーの報知（自動アライメントが適切に行えなかった旨の報知）がされる。
【０１２８】
検者は、アライメントエラーの報知を確認した後、補助操作を行うと、図７のフローチャートにおいて、ステップＳ９→ステップＳ１１→ステップＳ１２へと進むことにより、アライメントエラーの報知が中止されて、補助操作により設定された移動目標位置を目標として装置本体部１３（眼特性測定部３０）をＸＹ方向へと自動で移動させつつ、輝点像（アライメント目標）の位置の検出を行う。この後は上述した補助操作を行った状況と同様の動作となる。
【０１２９】
また、検者は、アライメントエラーの報知を確認した後、マニュアルアライメントモードへと切り替える操作を行うと、図９のフローチャートにおいて、ステップＳ３１→ステップＳ３２へと進むことにより、検者は、マニュアル操作により任意の位置（例えば図１３の指定位置４４）へと装置本体部１３（眼特性測定部３０）を移動させることができる。このとき、そのステップＳ３１において、オートアライメントモードにおける動作を中止することとなるので、アライメントエラーの報知が中止される。この後は上述したマニュアルアライメントモードへと切り替えた状況と同様の動作となる。
【０１３０】
さらに、検者は、アライメントエラーの報知を確認しても何も対応をしないと、図７のフローチャートにおいて、ステップＳ９→ステップＳ１０→ステップＳ９へと進むことが繰り返されて、所定の時間が経過した後に、眼特性測定部３０を用いた被検眼Ｅの眼屈折力と被検眼Ｅの角膜Ｅｃの形状との測定が実行されることなくアライメント測定制御処理が終了する。
【０１３１】
本発明に係る眼科装置の一実施例としての眼科装置１０では、オートアライメントモードが開始されると、表示部１４（その表示面１４ａ）に表示させた前眼部像Ｅ´（被検眼Ｅの前眼部の画像）においてアライメント目標を設定し、そのアライメント目標とする位置（輝点像）に目標位置標示記号４１を重ねて表示させる。このため、検者は、表示部１４（その表示面１４ａ）の前眼部像Ｅ´（被検眼Ｅの前眼部の画像）における目標位置標示記号４１の位置を確認することで、装置本体部１３（眼特性測定部３０）がＸＹ方向への移動が開始されると直ちにアライメント目標とする位置を把握することができる。これにより、検者は、装置本体部１３（眼特性測定部３０）をＸＹ方向へと適宜移動させて被検眼Ｅに対して適切な位置とする自動でのアライメント動作（自動アライメントが適切に行われない場合を含む）の終了を待つことなく、自動アライメントが適切に行われるか否かを把握することができる。よって、眼科装置１０では、自動でのアライメント動作の終了を待つことなく、自動でのアライメントを適切に行うことが出来ない状態であることの把握を可能とすることができる。
【０１３２】
また、眼科装置１０では、自動でのアライメント動作の終了を待つことなく自動でのアライメントを適切に行うことが出来ない状態であることを把握させることができるので、検者は、自動でのアライメントが適切に行われない場合には、自動でのアライメント動作の終了を待つことなく直ちに補助操作を行ったりマニュアルアライメントモードへと切り替えたりすることができる。このため、眼科装置１０では、自動でのアライメントが出来ない場合であっても、そのアライメントが出来ないことに対応する動作を直ぐに行うことができ、被検眼Ｅの光学特性（眼特性）の測定に要する時間が増加してしまうことを抑制することができる。
【０１３３】
さらに、眼科装置１０では、オートアライメントモードが開始されると、表示部１４（その表示面１４ａ）に表示させた前眼部像Ｅ´（被検眼Ｅの前眼部の画像）においてアライメント目標を設定し、そのアライメント目標とする位置（輝点像）に目標位置標示記号４１を重ねて表示させる。このため、検者は、表示部１４（その表示面１４ａ）の前眼部像Ｅ´（被検眼Ｅの前眼部の画像）における目標位置標示記号４１の位置を確認することで、装置本体部１３（眼特性測定部３０）がＸＹ方向への移動が開始されると直ちにアライメント目標とする位置を把握することができる。これにより、検者は、自動でのアライメント動作が開始されると、直ぐに自動でのアライメントが適切に行われることを把握することができる。よって、検者は、表示部１４（その表示面１４ａ）を見るだけで、被検眼Ｅの光学特性（眼特性）の測定が適切に行えることを把握することができ、当該測定を円滑なものとすることができる。
【０１３４】
眼科装置１０では、オートアライメントモードが開始されると、表示部１４（その表示面１４ａ）に表示させた前眼部像Ｅ´（被検眼Ｅの前眼部の画像）においてアライメント目標を設定し、そのアライメント目標とする位置（輝点像）に目標位置標示記号４１を重ねて表示させる。このため、検者は、表示部１４（その表示面１４ａ）の前眼部像Ｅ´（被検眼Ｅの前眼部の画像）における目標位置標示記号４１の位置を確認することで、前眼部像Ｅ´における何処をアライメント目標としたのかを把握することができる。これにより、検者は、例えば、化粧のラメ等の光沢物４３をアライメント目標（輝点像）として設定（検出）してしまっている場合には、その光沢物４３を取り除いたり光沢物４３による反射光量を下げるべく角度を微調整したりする等のように、誤ってアライメント目標（輝点像）として設定（検出）してしまった原因を取り除くことで対応することができる。よって、眼科装置１０では、眼特性測定部３０による被検眼Ｅの光学特性（眼特性）の測定を適切に行うことを、より簡易なものとすることができる。
【０１３５】
眼科装置１０では、オートアライメントモードが開始されると、表示部１４（その表示面１４ａ）に表示させた前眼部像Ｅ´（被検眼Ｅの前眼部の画像）においてアライメント目標を設定し、そのアライメント目標とする位置（輝点像）に目標位置標示記号４１を重ねて表示させる。また、眼科装置１０では、補助操作により移動目標位置が設定された場合、その移動目標位置に最も近い輝点像（輝点像Ｓ）をアライメント目標として設定する。ここで、眼科装置１０では、例えば、ＸＹアライメント光投影光学系３５により形成された輝点像Ｓと、他の輝点（この例では光沢物４３）と、の双方のどちらが正しい輝点像（輝点像Ｓ）であるのかを判断することができなくなってしまった場合には、輝点像Ｓと他の輝点（光沢物４３）との双方に目標位置標示記号４１を重ねて表示させるか、輝点像Ｓと他の輝点（光沢物４３）とを交互に目標位置標示記号４１を重ねて表示させることとなる。この場合、検者は、表示部１４（その表示面１４ａ）の前眼部像Ｅ´（被検眼Ｅの前眼部の画像）における目標位置標示記号４１の位置を確認することで、正しい輝点像Ｓと他の輝点（光沢物４３）とがアライメント目標として設定されていることを把握することができる。このため、検者は、補助操作により正しい輝点像Ｓ（その近傍）を移動目標位置として設定することにより、その正しい輝点像Ｓをアライメント目標として設定させることができる。換言すると、眼科装置１０では、正しい輝点像Ｓと他の輝点（光沢物４３）とをアライメント目標として設定した場合であっても、補助操作により正しい輝点像Ｓ（その近傍）に移動目標位置が設定されると、誤って検出した他の輝点をアライメント目標とすることが防止されて、正しい輝点像Ｓのみをアライメント目標として設定することができる。よって、眼科装置１０では、眼特性測定部３０による被検眼Ｅの光学特性（眼特性）の測定を適切に行うことを、より簡易なものとすることができる。
【０１３６】
眼科装置１０では、オートアライメントモードが開始されると、表示部１４（その表示面１４ａ）に表示させた前眼部像Ｅ´（被検眼Ｅの前眼部の画像）においてアライメント目標を設定し、そのアライメント目標とする位置（輝点像）に目標位置標示記号４１を重ねて表示させる。また、眼科装置１０では、補助操作により移動目標位置が設定された場合、その移動目標位置に最も近い輝点像（輝点像Ｓ）をアライメント目標として設定する。このため、検者は、正しい輝点像Ｓと他の輝点（光沢物４３）とがアライメント目標として設定されている場合、補助操作により正しい輝点像Ｓの近傍を移動目標位置として設定するだけで、正しい輝点像Ｓをアライメント目標として設定させることができる。すなわち、眼科装置１０では、補助操作において、移動目標位置を正しい輝点像Ｓに正確に一致させることを要求するものではなく、複数の輝点に対して正しい輝点像Ｓに最も近い位置に移動目標位置が設定されれば、その正しい輝点像Ｓをアライメント目標として設定することができる。これにより、眼科装置１０では、より簡易に正しい位置をアライメント目標とすることができる。
【０１３７】
眼科装置１０では、オートアライメントモードを実行している場合において、前眼部（前眼部像Ｅ´）等の画像を表示する表示面１４ａ(本実施例では画像表示領域１４ｂ)が触られると、オートアライメントモードにおける動作を中断して、補助操作が為されることを待つ（待機する）。このため、眼科装置１０では、実行されているオートアライメントモードにおける動作に拘わらず、適切にかつ違和感を覚えることなく補助操作を行うことを可能とすることができる。
【０１３８】
眼科装置１０では、オートアライメントモードが開始されても、アライメント目標（輝点像）を検出できなかった場合には、表示部１４（その表示面１４ａ）に前眼部像Ｅ´（被検眼Ｅの前眼部の画像）のみを表示させ、目標位置標示記号４１を表示させない。このため、検者は、表示部１４（その表示面１４ａ）を確認するだけで、例えば、アライメント目標としての輝点像Ｓが適切に形成されていないことが原因で自動アライメントが適切に行われないことを把握することができる。これにより、検者は、自動アライメントが適切に行われない原因として、輝点像Ｓが適切に形成されない原因を探せば良いこととなるので、自動アライメントが適切に行われない原因を探すことを容易なものとすることができる。よって、眼科装置１０では、使い勝手を向上させることができる。
【０１３９】
眼科装置１０では、眼特性測定部３０におけるＸＹアライメント光投影光学系３５により被検眼Ｅ（その角膜Ｅｃ）に向けてＸＹアライメント指標光束を投影することで、被検眼Ｅの前眼部の画像（前眼部像Ｅ´）上に形成した輝点像Ｓ（ＸＹアライメント指標像）をアライメント目標としている。そして、眼科装置１０では、表示部１４（その表示面１４ａ）において、前眼部像Ｅ´（被検眼Ｅの前眼部の画像）を表示させるとともに、その前眼部像Ｅ´におけるアライメント目標の位置に目標位置標示記号４１を重ねて適宜表示させる。このため、眼科装置１０では、目標位置標示記号４１が表示されているか否かと、前眼部像Ｅ´における目標位置標示記号４１の位置と、輝点像Ｓが適切に形成されているか否かと、前眼部像Ｅ´の状態（瞼が閉じているか否かや睫毛が掛かっているか否か等）と、を、表示部１４（その表示面１４ａ）を見るだけで一度に確認することを可能とすることができる。これにより、眼科装置１０では、それらを総合的に判断することで、自動アライメントが出来ない原因を探し当てることを可能とすることができる。このことから、眼科装置１０では、検者による補助操作を行った方が良いかマニュアルアライメントモードに切り替えた方が良いかの判断を、容易でかつ適切なものとすることができる。
【０１４０】
眼科装置１０では、ＸＹアライメント光投影光学系３５で形成した輝点像Ｓをアライメント目標とするとともに、表示部１４（その表示面１４ａ）において前眼部像Ｅ´に目標位置標示記号４１を重ねて適宜表示させる。このため、眼科装置１０では、自動アライメントを適切に行うことが出来るか否かの把握を可能とすることができるとともに、自動アライメントを適切に行うことが出来ない場合にはその原因の把握を容易なものとすることができる。これは、自動アライメントを適切に行うことが出来ない原因としては、輝点像Ｓとは異なる輝点（上記した例では光沢物４３）を輝点像として検出してしまうことや、種々の原因（例えば、ＸＹアライメント光投影光学系３５からのＸＹアライメント指標光束が被検眼Ｅの角膜Ｅｃに適切に投影されていないことや被検眼Ｅの角膜Ｅｃが正常な形状とは異なること）により輝点像Ｓが形成できないことがあげられるが、その原因に応じて前眼部像Ｅ´上における目標位置標示記号４１の表示の態様（適切な位置ではないことや表示されないこと）が異なることによる。
【０１４１】
眼科装置１０では、補助操作が為されると、当該補助操作より設定された移動目標位置を目標として眼特性測定部３０（装置本体部１３）をＸＹ方向へと自動で移動させつつ、輝点像（アライメント目標）の位置の検出を行う。このため、眼科装置１０では、表示部１４（その表示面１４ａ）に表示された前眼部像Ｅ´上における目標位置標示記号４１の表示の態様に応じて、アライメント目標（輝点像Ｓ）を適切に検出することが可能となる位置へと、被検眼Ｅに対する眼特性測定部３０（装置本体部１３）の移動を促すことができる。これにより、眼科装置１０では、自動アライメントが適切に行われない原因の見当がついた場合であって、眼特性測定部３０（装置本体部１３）の移動により当該原因が解消する場合には、補助操作により当該原因を解消することができる。よって、眼科装置１０では、自動アライメントを適切に行わせること、すなわち前眼部像Ｅ´にアライメント目標を適切に形成しかつそのアライメント目標と適切に検出させることの確率を向上させることができる。
【０１４２】
眼科装置１０では、表示部１４（その表示面１４ａ）における任意の位置を指定することにより、補助操作における移動目標位置を設定することができる。このため、眼科装置１０では、表示部１４（その表示面１４ａ）に表示された前眼部像Ｅ´の任意の位置に移動目標位置を設定させることができる。これにより、眼科装置１０では、検者による眼特性測定部３０（装置本体部１３）を移動させる移動目標位置の設定を、容易でかつ自由度の高いものとすることができる。よって、眼科装置１０では、実際の前眼部像Ｅ´における状況に応じて検者が容易にかつ適切に移動目標位置を設定することができ、自動アライメントを適切に行わせることの確率を向上させることができる。
【０１４３】
眼科装置１０では、表示部１４（その表示面１４ａ）に表示された目標位置標示記号４１の位置を移動させることにより、補助操作における移動目標位置を設定することができる。このため、眼科装置１０では、表示部１４（その表示面１４ａ）に表示された前眼部像Ｅ´の任意の位置に移動目標位置を設定させることができる。これにより、眼科装置１０では、検者による眼特性測定部３０（装置本体部１３）を移動させる移動目標位置の設定を容易でかつ自由度の高いものとすることができる。よって、眼科装置１０では、実際の前眼部像Ｅ´における状況に応じて検者が容易にかつ適切に移動目標位置を設定することができ、自動アライメントを適切に行わせることの確率を向上させることができる。
【０１４４】
眼科装置１０では、補助操作が為されると、当該補助操作に応じた眼特性測定部３０（装置本体部１３）のＸＹ方向への移動を、アライメント目標を目標とするアライメント動作よりも優先して行う。このため、眼科装置１０では、アライメント目標としての輝点像Ｓ（その位置）を適切に検出することが可能となる位置へと、被検眼Ｅに対する眼特性測定部３０（装置本体部１３）の移動を促すことができる。特に、眼科装置１０では、補助操作により移動目標位置が設定された場合、その移動目標位置に最も近い輝点像（輝点像Ｓ）をアライメント目標として設定することから、より高い確率でアライメント目標としての輝点像Ｓ（その位置）を適切に検出することが可能となる位置へと、被検眼Ｅに対する眼特性測定部３０（装置本体部１３）の移動を促すことができる。
【０１４５】
眼科装置１０では、オートアライメントモードによるアライメント動作を実行することにより、被検眼Ｅに対する眼特性測定部３０（装置本体部１３）の位置が適切なものとなると、眼特性測定部３０による被検眼Ｅの光学特性（眼特性）の測定を実行する。このため、眼科装置１０では、速やかに被検眼Ｅの光学特性（眼特性）を測定することができ、使い勝手を向上させることができる。
【０１４６】
眼科装置１０では、オートアライメントモードによるアライメント動作を実行しても、被検眼Ｅに対する眼特性測定部３０（装置本体部１３）の位置が適切なものとはなっていないと、アライメントエラーの報知を行う。このため、眼科装置１０では、表示部１４（その表示面１４ａ）への目標位置標示記号４１の表示（表示されない場合も含む）による検者の判断のみに委ねるのではなく、自動アライメントが適切に行えなかった場合には、そのことを検者に確実に把握させることができ、使い勝手を向上させることができる。
【０１４７】
眼科装置１０では、オートアライメントモードにおいてマニュアルアライメントモードに切り替える操作がなされると、マニュアルアライメントモードに切り替える。このため、検者は、表示部１４（その表示面１４ａ）への目標位置標示記号４１の表示（表示されない場合も含む）により、自動アライメントの動作では適切にアライメントが行われないと判断すると、直ちにマニュアル操作によりアライメントを行って眼特性測定部３０による被検眼Ｅの光学特性（眼特性）の測定を実行することができる。これにより、眼科装置１０では、状況に応じて速やかに被検眼Ｅの光学特性（眼特性）を測定することができ、使い勝手を向上させることができる。
【０１４８】
したがって、本発明に係る眼科装置の一実施例としての眼科装置１０では、アライメント動作が終了する前に自動でのアライメントが適切に行えない状態であることの把握を可能とすることができる。
【０１４９】
なお、上記した実施例では、本発明に係る眼科装置の一実施例としての眼科装置１０について説明したが、被検眼の光学特性を測定する眼特性測定部と、前記被検眼に対して前記眼特性測定部を移動させる駆動部と、前記被検眼の画像を取得する観察光学系と、前記観察光学系で取得した前記被検眼の画像を表示する表示部と、前記眼特性測定部と前記駆動部と前記観察光学系と前記表示部とを制御する制御部と、を備え、前記制御部は、前記観察光学系で取得した前記被検眼の画像において前記アライメント目標の位置を設定し、設定した前記アライメント目標の位置を目標として前記眼特性測定部を移動させるオートアライメントモードを有し、前記オートアライメントモードにおいて、前記観察光学系で取得した前記被検眼の画像における前記アライメント目標の位置に目標位置標示記号を重ねて前記表示部に表示させる眼科装置であればよく、上記した実施例に限定されるものではない。
【０１５０】
また、上記した実施例では、眼特性測定部３０におけるＸＹアライメント光投影光学系３５で形成した輝点像Ｓをアライメント目標とする例を示していたが、被検眼Ｅの画像（前眼部像Ｅ´）上において設定したアライメント目標の位置を目標として眼特性測定部３０（装置本体部１３）の自動でのアライメント動作を行うオートアライメントモードを有するものであればよく、上記した実施例に限定されるものではない。その一例として、被検眼Ｅの瞳孔の中心位置（瞳孔中心）をアライメント目標とすることがあげられる。この場合、制御部２１は、例えば、入力された被検眼Ｅの前眼部の画像（前眼部像Ｅ´）（そのデータ）におけるコントラストに基づいて予め記憶した瞳孔として認識すべき形状を検出することにより、被検眼Ｅ（前眼部像Ｅ´）における瞳孔を示す領域やその中心位置を検出することができる。このように瞳孔中心を検出してアライメント目標として設定した場合であっても、設定したアライメント目標としての瞳孔中心（適切ではない位置も含む）に目標位置標示記号４１を重ねて表示させることで、輝点像Ｓをアライメント目標とした場合と同様の効果を得ることができる。
【０１５１】
さらに、上記した実施例では、眼科装置１０に眼特性測定部３０が設けられていたが、被検眼Ｅの光学特性（眼特性）を測定するものであれば、被検眼Ｅの眼圧を測定する眼圧測定部が設けられているものであっても良く、眼特性測定部３０と眼圧測定部との双方が設けられているものであってもよく、上記した実施例に限定されるものではない。
【０１５２】
上記した実施例では、目標位置標示記号４１を、輝点像Ｓ（アライメント目標）を小さな間隔で取り囲むことのできる矩形状としていたが、移動の目標とする位置（アライメント目標）の把握を可能とするものであれば、例えば、他の形状であってもよく、矢印や十字マークのような他の態様であってもよく、上記した実施例に限定されるものではない。
【０１５３】
上記した実施例では、他覚測定により被検眼Ｅの眼屈折力を測定するためにレフ測定投影光学系３３とレフ測定受光光学系３４とを設けていたが、被検眼Ｅからの反射光を受光して当該被検眼Ｅの眼屈折力を測定するものであれば、光学的な構成、各光学部材の配置および測定原理が異なるものであってもよく、上記した実施例に限定されるものではない。
【０１５４】
上記した実施例では、オートアライメントモードを実行して被検眼Ｅの光学特性（眼特性）を測定するアライメント測定制御処理を、眼特性測定部３０による測定をオートアライメントモードで実行する旨の操作が行われることにより開始するものとされていた。しかしながら、アライメント測定制御処理は、眼特性測定部３０（眼科装置１０）による測定を行うために開始されるものであれば、例えば、眼科装置１０の電源がＯＮ状態とされることにより開始するものであってもよく、顎受部１５に被検者の顎が載せられたことを検出したら開始するものであってもよく、額当部１６に被検者の額が宛がわれたことを検出したら開始するものであってもよく、他の構成であってもよく、上記した実施例に限定されるものではない。その顎受部１５に被検者の顎が載せられたことや額当部１６に被検者の額が宛がわれたことの検出は、顎受部１５や額当部１６に感圧式のセンサや静電式のセンサ等の被検者の顔が存在することを検出可能なセンサを設けることや、顎受部１５や額当部１６に関連して被検者の顔が存在することを検出可能とした光学式のセンサやカメラ等を設けることにより行うことができる。
【０１５５】
上記した実施例では、補助操作として、表示部１４（その表示面１４ａ）に表示された目標位置標示記号４１の位置を移動させることにより移動目標位置を設定することと、表示部１４（その表示面１４ａ）における任意の位置を指定することにより移動目標位置を設定することと、が可能とされていた。しかしながら、補助操作は、眼特性測定部３０（装置本体部１３）の自動での移動の目標とする移動目標位置を設定するものであればよく、上記した実施例に限定されるものではない。
【０１５６】
上記した実施例では、制御部２１が、アライメント動作を実行することにより被検眼Ｅに対して眼特性測定部３０が適切な位置となった（アライメントが適切に行われた）ものと判断すると、眼特性測定部３０による被検眼Ｅの光学特性（眼特性）の測定を実行するものとしていたが、アライメントが適切に行われたと判断した後に測定を実行させる操作が為されたか否かを判断して、当該操作が為されると被検眼Ｅの光学特性（眼特性）の測定を実行するものとしてもよく、上記した実施例に限定されるものではない。
【０１５７】
上記した実施例では、眼特性測定部３０が設けられた眼科装置１０を示していたが、被検眼Ｅの前眼部の画像を取得する観察光学系を有し、被検眼Ｅを観察する観察光学部（上記した実施例では眼特性測定部３０が相当する）を備えるものであれば、例えば、ＯＣＴ（Ｏｐｔｉｃａｌ  Ｃｏｈｅｒｅｎｃｅ  Ｔｏｍｏｇｒａｐｈｙ）としての眼科装置であってもよく、眼底カメラとしての眼科装置であってもよく、ＳＬＯ（レーザー走査型検眼鏡）としての眼科装置であってもよく、その他の網膜等を撮影する眼科撮影装置としての眼科装置であってもよく、上記した実施例に限定されるものではない。
【０１５８】
以上、本発明の眼科装置を実施例に基づき説明してきたが、具体的な構成については実施例に限られるものではなく、本発明の要旨を逸脱しない限り、設計の変更や追加等は許容される。
【符号の説明】
【０１５９】
１０  眼科装置
１２  駆動部
１４  表示部
１４ａ  表示面
２１  制御部
３０  眼特性測定部
３２  （観察光学系の一例としての）前眼部観察光学系
４１  目標位置標示記号
Ｅ  被検眼
Ｓ  （アライメント目標としての）輝点像
【図１】
0006396125.tif 000002
【図２】
0006396125.tif 000003
【図３】
0006396125.tif 000004
【図４】
0006396125.tif 000005
【図５】
0006396125.tif 000006
【図６】
0006396125.tif 000007
【図７】
0006396125.tif 000008
【図８】
0006396125.tif 000009
【図９】
0006396125.tif 000010
【図１０】
0006396125.tif 000011
【図１１】
0006396125.tif 000012
【図１２】
0006396125.tif 000013
【図１３】
0006396125.tif 000014
【図１４】
0006396125.tif 000015